(57)【要約】  本発明は、容器の内部空間にバッグを生成する及びそのバッグを試験する方法と、この目的のためのシステムと、実行のためのコンピュータプログラム製品と、本方法のためのシステムの使用とに関する。【選択図】図１
2019531983.tif 000002
【特許請求の範囲】
【請求項１】
容器（４）が、抽出開口部（９）及び通気開口部（１１）を含み、容器（４）の内部空間が、前記抽出開口部（９）に関連付けられた抽出側（１２）及び前記通気開口部（１１）に関連付けられた通気側（１３）を含み、前記抽出側（１２）及び前記通気側（１３）が、バッグ材料（５）によって互いに分離され、バッグ材料（５）が、初期状態にある時に容器（４）の壁（７）の内面（６）に付着しており、差圧（２５）が、前記通気側（１３）と前記抽出側（１３）の間に発生され、壁（７）に付着したバッグ材料（５）が剥がれるように変更され、それによってバッグ（２）を形成し、差圧（２５）が、最初に発生され、その時に前記抽出側（１２）に対して前記通気側（１３）に過圧が存在し、バッグ材料（２）が壁（７）から部分的に剥ぎ取られる結果になり、前記差圧（２５）が、次に、既に剥ぎ取られたバッグ材料（５）が壁（７）に再接合するように符号に関して又は前記差圧（２５）の方向に関して逆転される、容器（４）の内部空間に前記容器（４）の壁（７）の内面（６）からバッグ材料（５）を剥ぎ取ることによって圧潰性バッグ（２）を形成する方法であって、
次の段階で、差圧（２５）が、再び発生され、その時に前記通気側（１３）の圧力が、前記既に剥ぎ取られた部分内の前記バッグ材料（５）が前記壁（７）から最初に移動して離れ、次に前記バッグ材料（５）の別の部分が前記壁（７）から剥がれるように、前記抽出側（１２）よりも高い、
ことを特徴とする方法。
【請求項２】
前記差圧（２５）は、前記壁（７）に付着した前記バッグ材料（５）が段階的に剥がれるように交替方式で変更されることを特徴とする請求項１に記載の方法。
【請求項３】
前記差圧（２５）は、循環的に変更され、各サイクル（２８）が、好ましくは少なくとも２つのフェーズを有することを特徴とする請求項１又は請求項２のいずれか１項に記載の方法。
【請求項４】
１つのフェーズでは、前記通気側（１３）の圧力（Ｐ１３）が、前記抽出側（１２）の圧力（Ｐ１２）よりも高く、及び／又は前記差圧（２５）は、前記バッグ（２）を前記容器の前記壁（７）から剥がし、
別のフェーズでは、前記通気側（１３）の前記圧力（Ｐ１３）は、前記抽出側（１２）の前記圧力（Ｐ１２）よりも低く、及び／又は前記差圧（２５）は、前記バッグ（２）を前記壁（７）に対して押圧し、
前記差圧（２５）は、交替する、
ことを特徴とする請求項１から請求項３のいずれか１項に記載の方法。
【請求項５】
前記サイクル（２８）の各々が、０．５秒よりも長い、好ましくは０．７秒よりも長い、特に１秒よりも長い、及び／又は３秒未満、好ましくは２秒未満、特に１．５秒未満の周期長（２９）を有することを特徴とする請求項４に記載の方法。
【請求項６】
前記の特に最大の差圧（２５）は、１００ｋＰａよりも高く、好ましくは１５０ｋＰａよりも高く、及び／又は４００ｋＰａ未満、好ましくは２５０ｋＰａ未満であることを特徴とする請求項１から請求項５のいずれか１項に記載の方法。
【請求項７】
前記バッグ（２）を生成するために、前記容器（４）の前記壁（７）を形成する壁材料及び前記バッグ材料（５）は、最初に互いに直接に当接させて前記容器（４）の形状に加工され、前記バッグ材料（５）は、前記容器（４）の前記壁（７）の前記内面（６）に特に接着的に付着し、前記バッグ（２）は、次に、前記バッグ材料（５）を前記容器（４）の前記壁（７）から剥ぎ取ることによって形成されることを特徴とする請求項１から請求項６のいずれか１項に記載の方法。
【請求項８】
容器（４）が、抽出開口部（９）及び通気開口部（１１）を含み、容器（４）の内部空間が、バッグ（２）によって互いから分離された、前記抽出開口部（９）に関連付けられた抽出側（１２）及び前記通気開口部（１１）に関連付けられた通気側（１３）を含む、特に請求項１から請求項７のいずれか１項に記載の方法によってバッグ（２）が容器（４）の壁（７）の内面（６）から剥ぎ取られた程度、前記バッグ（２）を圧潰することができる容積、及び／又は対応するパラメータを決定する方法、であって、
圧力貯留容積（３０）が、ターゲット圧力にもたらされ、次に前記圧力貯留容積（３０）と前記通気側（１３）の間の圧力が均等化されるように前記通気側（１３）に接続され、前記圧力均等化後の得られた圧力が、パラメータとして又は前記剥離の程度又は前記容積のいずれかを決定するために測定される、
ことを特徴とする方法。
【請求項９】
前記圧力貯留容積（３０）は、好ましくは、ガス、特に空気で充填することによって、過圧にもたらされ、前記過圧は、好ましくは、周囲圧力を特に少なくとも１００ｋＰａだけ超え、及び／又は
前記圧力貯留容積（３０）は、前記容器（４）又はバッグ（２）の容積の１／２超及び／又は４倍未満に対応する、
ことを特徴とする請求項８に記載の方法。
【請求項１０】
前記通気側（１３）と前記圧力貯留容積（３０）間のバルブ（２１）が閉じられた時に、前記圧力貯留容積（３０）は、過圧にもたらされ、
前記圧力貯留容積（３０）は、次に、前記バルブ（２１）を開くことによって前記通気側（１３）に接続され、前記抽出側（１２）は、好ましくは通気される又は排気される、
ことを特徴とする請求項８又は請求項９のいずれか１項に記載の方法。
【請求項１１】
容器（４）が、抽出開口部（９）及び通気開口部（１１）を含み、容器（４）の内部空間が、バッグ（２）によって互いから分離された、前記抽出開口部（９）に関連付けられた抽出側（１２）及び前記通気開口部（１１）に関連付けられた通気側（１３）を含む、特に請求項１から請求項１０のいずれか１項に記載の方法によって、容器（４）に設けられたバッグ（２）の気密性を試験する方法であって、
前記通気側（１３）と比べて過圧が、前記バッグ（２）が前記容器（４）の壁（７）に接合されるように前記抽出側（１２）に印加され、
前記通気側（１３）と共に又はそれを用いて、圧力又は圧力差が試験持続時間に続いて又はそれに依存して識別される閉じた試験容積が発生され、かつ前記容器（４）に設けられた前記バッグ（２）の気密度に対するインジケータとして使用される、
ことを特徴とする方法。
【請求項１２】
容器（４）が非円形の好ましくは細長い特にスロット状の通気開口部（１１）を含み、内部バッグ（２）を含む容器（４）を生成する、特に前記内部バッグ（２）を剥ぎ取る、及び／又は内部バッグ（２）を含む容器（４）を試験する方法であって、
前記容器（４）がシステム（１）に挿入される結果として、又は前記挿入中又はそれに続いて、半径方向圧力が、前記容器（４）上に及ぼされ、その直径又は開口断面積が一時的に拡大されるように前記通気開口部（１１）上に作用し、
前記一時的に拡大された直径又は前記一時的に拡大された開口断面積を用いて、前記通気開口部を通した圧力均等化が迅速化される、
ことを特徴とする方法。
【請求項１３】
システムが、容器（４）をその中に挿入することができる又は挿入されるチャンバ（１４）を有し、前記容器（４）が、抽出開口部（９）及び通気開口部（１１）を含み、前記容器（４）の内部空間が、バッグ材料（５）によって互いから分離された、前記抽出開口部（９）に関連付けられた抽出側（１２）及び前記通気開口部（１１）に関連付けられた通気側（１３）を含み、前記チャンバ（１４）が、前記抽出側（１２）及び前記通気側（１３）を互いから別々に緊密に固定する、好ましくは請求項１から請求項１２のいずれか１項に記載の方法を実施するように設計された、システム（１）であって、
好ましくは段階的に、前記容器（４）の内壁（７）から前記バッグ材料（５）を剥ぎ取るために前記抽出側（１２）と前記通気側（１３）間に、好ましくは交替する、差圧（２５）を発生させるように設計される、
ことを特徴とするシステム（１）。
【請求項１４】
システムが、容器（４）をその中に挿入することができる又は挿入されるチャンバ（１４）を含み、前記容器（４）が、抽出開口部（９）及び通気開口部（１１）を含み、前記容器（４）の内部空間が、バッグ材料（５）によって互いから分離された、前記抽出開口部（９）に関連付けられた抽出側（１２）及び前記通気開口部（１１）に関連付けられた通気側（１３）を含み、前記チャンバ（１４）が、前記抽出側（１２）及び前記通気側（１３）を互いから別々に緊密に固定する、好ましくは請求項１から請求項１２のいずれか１項に記載の方法を実施するように設計された、特に請求項１３記載のシステム（１）であって、
システム（１）が、圧力貯留容器（３０）を含み、かつ前記圧力貯留容積（３０）を前記通気側（１３）の圧力とは異なる圧力にもたらすように設計され、システム（１）が、前記チャンバ（１４）を用いて前記圧力貯留容積（３０）を前記通気側（１３）に接続するバルブ（２１）を含み、
システム（１）が、前記接続が確立された時に圧力変化を識別するための圧力センサ（２２）を含む、
ことを特徴とするシステム（１）。
【請求項１５】
システムが、容器（４）をその中に挿入することができる又は挿入されるチャンバ（１４）を含み、前記容器（４）が、抽出開口部（９）及び通気開口部（１１）を含み、前記容器（４）の内部空間が、バッグ材料（５）によって互いから分離された、前記抽出開口部（９）に関連付けられた抽出側（１２）及び前記通気開口部（１１）に関連付けられた通気側（１３）を含み、前記チャンバ（１４）が、前記抽出側（１２）及び前記通気側（１３）を互いから別々に緊密に固定する、好ましくは請求項１から請求項１２のいずれか１項に記載の方法を実施するように設計された、特に請求項１３又は請求項１４のいずれか１項に記載のシステム（１）であって、
前記抽出側（１２）と前記通気側（１３）間の差圧（２５）を用いて容器（４）に設けられたバッグ（２）の気密性を試験するように設計され、
圧力センサ（２２）を含み、前記圧力センサ（２２）に接続され、かつ前記通気側（１３）の圧力の変化を測定して前記変化を閾値（３６）と比較するように設計された分析デバイスとを含む、
ことを特徴とするシステム（１）。
【請求項１６】
システムが、容器（４）をその中に挿入することができる又は挿入されるチャンバ（１４）を含み、前記容器（４）が、抽出開口部（９）及び通気開口部（１１）を含み、前記容器（４）の内部空間が、バッグ材料（５）によって互いから分離された、前記抽出開口部（９）に関連付けられた抽出側（１２）及び前記通気開口部（１１）に関連付けられた通気側（１３）を含み、前記チャンバ（１４）が、前記抽出側（１２）及び前記通気側（１３）を互いから別々に緊密に固定する、好ましくは請求項１から請求項１２のいずれか１項に記載の方法を実施するように設計された、特に請求項１３から請求項１５のいずれか１項に記載のシステム（１）であって、
前記チャンバ（１４）は、特に先細の直径によって、前記通気開口部（１１）の前記の特に流体力学的な直径又は開口断面積を拡大することができるように、前記容器（４）が前記チャンバ（１４）に挿入される結果として又は前記挿入中又はそれに続いて前記容器（４）の壁（７）上に半径方向圧力を生成するように設計される、
ことを特徴とするシステム（１）。
【請求項１７】
システム（１）が、１又は２以上の容器（４）を含み、前記容器（４）の壁（７）の外面が、好ましくは前記チャンバ（１４）の内壁に対応し、システム（１）が、特に、前記抽出側（１２）及び前記通気側（１３）が前記バッグ（２）を用いて互いから分離されるように、前記チャンバ（１４）に受け入れられた容器（４）を緊密に固定するように設計される、ことを特徴とする請求項１３から請求項１６のいずれか１項に記載のシステム。
【請求項１８】
システム（１）が、容器（４）を前記チャンバ（１４）内に次々に導入するように設計され、前記剥離が起こった及び／又は剥離の程度が試験された及び／又は気密性が試験された状態で、予め定められた剥離の程度又は予め定められた気密性に達しない容器（４）を拒絶するように設計されることを特徴とする請求項１３から請求項１７のいずれか１項に記載のシステム。
【請求項１９】
特に請求項１から請求項７のいずれか１項に記載の方法を用いて生成された内部バッグ（２）を含む容器（４）であって、
前記バッグ（２）は、容器ベースと抽出開口部（９）の間の延長方向のストリップ状部分内で前記容器（４）の壁（７）の内面（６）に接着的に付着する、
ことを特徴とする容器（４）。
【請求項２０】
請求項１２に記載の方法を用いて生成された内部バッグ（２）を含む容器（４）であって、
前記バッグ（２）は、容器ベースと抽出開口部（９）の間の延長方向の一部分内で前記容器（４）の壁（７）の内面（６）に付着する及び／又は接合される、
ことを特徴とする容器（４）。
【請求項２１】
プログラムコード手段を含み、特に請求項１３から請求項１９のいずれか１項に記載のシステム（１）を作動させるためのコンピュータプログラム製品であって、
実行された時に、前記プログラムコード手段は、好ましくは請求項１３から請求項１９のいずれか１項に記載の前記システム（１）を用いて請求項１から請求項１２のいずれか１項に記載の方法を実施する、
ことを特徴とする製品。
【請求項２２】
請求項１から請求項１２のいずれか１項に記載の容器（４）内にバッグ（２）を生成するための方法及び／又は内部バッグ（２）を含む容器（４）を試験するための請求項１３から請求項１９のいずれか１項に記載のシステム（１）の使用。
【発明の詳細な説明】
【技術分野】
【０００１】
原則的に、本発明は、内部バッグを含む容器に関する。
【背景技術】
【０００２】
当該タイプの容器は、第１に、例えばスプレーノズルを形成するための容器に関するＤＥ  ２  ９２７  ７０８  Ａ１から内容物と高圧ガスを分離することが公知である。この場合に、内部バッグが、液体のようなバッグに位置付けられた媒体をバッグを取り囲んだ又はバッグと容器の壁の内面との間に配置された高圧ガスから分離する。第２に、例えばＤＥ  ２  ４３８  ２９８  Ａ１又はＧＢ２１５５１１７  Ａ１からは、高圧ガスなしで内部バッグを有する容器も化粧品ディスペンサ分野から公知である。
【０００３】
ＷＯ  ０１／７６８４９  Ａ１は、バッグが容器の内部空間に形成された容器を開示している。容器は、バッグに位置付けられた媒体を抽出するための開口部と媒体から遠隔の側で周囲空気が流入及び流出するのを可能にする同じく通気開口部とを容器壁とバッグの間に含む。この場合に、バッグは、圧潰性である。バッグから媒体を抽出する時に発生する負圧は、通気開口部を通ってバッグ周囲に向けて流れる空気の観点からバッグを圧潰することによって均等化する又は防止することができる。
【０００４】
この内側バッグは、底部シームを超えて事前に剥がされることもない。これに加えて、バッグは、好ましくない方式で外れる場合があり、例えば、内側バッグの口領域が塞がれた場合に、バッグの内容物が抽出される時により多くの残留容積が残ることを意味する。これに加えて、容器生成又は容器試験の迅速化又は改善への言及はない。システムの有利な設計への言及もない。
【０００５】
ＡＵ  ２０１４  ３５５  ５４４  Ａ１は、内側バッグを含む容器に関連し、孔を外側シェルに開けることにより、外側シェルと内側バッグの間に間隙が形成され、この孔は受け入れ部分内の間隙を外部空間に接続する。
【０００６】
バッグは、孔を通して空気を吹き込むことによって事前に剥がされる。しかし、この剥離工程は、この場合に、バッグ材料が延伸されて透過性又は脆性になる可能性があるか、又は事前剥離が不完全なままであり、得られる不完全に圧潰性のバッグがその後に製品をバッグから十分に抽出するのを妨げるかのいずれかであるので、特にバッグ材料が生産理由からより強く接着性である時に問題を生じる。システムの有利な設計への言及もない。
【０００７】
これに加えて、ＡＵ  ２０１４  ３５５  ５４４  Ａ１は、気密性を決定するために希ガスを入れて希ガスを検出することによる気密性検査に関連する。しかし、この方法は希ガスを使用するので、それは、高価であり、かつ複雑な希ガス回収機器を必要とする。システムの有利な設計への言及もない。
【０００８】
ＵＳ  ２００４／０１１２９２１  Ａ１は、空気吸引孔を有する合成樹脂外側層と、別々に積層されるように外側層の内面上に設けられた合成樹脂内側層とを含む容器に関連する。内側層は、空気吸入孔の周りで外側層から事前に分離される部分を含む。空気吸引孔は、容器のネックで外側層の中にパンチを外部から押し込み、それによって外側層だけでなく内側層も突き通すことによって生成することができる。内側層は、製品を抽出する時に剥ぎ取られるように意図され、ネック領域内の事前剥離は、これを容易にするように意図している。事前剥離工程は、小さい部分内で行われるに過ぎず、従って、内容物は、剥離を持続するのに十分なかなりの差圧が支配的である時だけ抽出することができる。
【０００９】
これに加えて、内側層は、空気吸引孔から遠隔に接着層によって設けられ、かつ長手軸に沿って直線的に、円周線上に、又は点状方式で設けることができる。しかし、一部の部分にのみ接着接続を生成することは、生産の観点から時間を消費し、かつ困難であり、そうでなければ容易に互いから剥がれる可能性がある材料を互いに接着し、かつ生産工程に使用することができるその両方である接着剤を必要とし、これは、生産の観点から複雑であり、かつ追加材料の使用を必要とする。システムの有利な設計への言及もない。
【００１０】
ＤＥ  １０  ２００６  ０１２  ４８７  Ａ１は、実質的に剛性の外側容器と、互いに溶接されない熱可塑性プラスチックから構成される僅かに変形可能な内側バッグとを含有する容器を生成する方法に関連し、容器は、容器開口部を有し、外側容器は、少なくとも１つの壁開口部を有し、それを通して内側バッグと外側容器の間の間隙内の圧力は、内側バッグがその内容物が小出しされる結果として収縮する時に均等化される。容器開口部は密封され、少なくとも１つの壁開口部が、外側容器の壁に孔を開けるか又は突き通すドリルビット又は穿刺針によってそれ自体公知の方式で形成され、外側容器の壁が十分に突き通された状態で、圧力媒体、好ましくは圧縮空気が、容器と内側バッグの間の間隙に導入される。複数の壁開口部を相応に形成することができる。しかし、その結果、この方法は、非常に複雑であり、かつ複数のドリルビット、ドリルビットを再位置決めするためのシステム、又はその組合せの使用を必要とする。これに加えて、ドリル孔の生成は内側バッグを損傷する又は少なくとも弱化するリスクを常に呈するという事実から欠点がもたらされる。従って、内側バッグは、歪みの下に置かれ、かつ欠陥を有する傾向がある。システムの有利な設計への言及もない。
【００１１】
ＥＰ  ０  ３１３  ６７８  Ａ１は、少なくとも１つの中空部材の密封を試験するための及び／又はその部材の壁に印加されている圧力によって生じる容積変化を測定するための方法及びアセンブリと、コーヒーパックのような可撓性中空部材に対するこの方法及びアセンブリの使用とに関連する。この場合に、閉じた中空部材が、チャンバに完全に挿入され、チャンバは加圧され、かつ圧力が変化する時のいずれの漏出も検出される。この方法は、閉じたコーヒーカプセルには十分であり、かつ適切であるが、それは、圧力変化が、変形によって生じる可能性もあり、容積変化が、大きい漏出の場合にのみ検出するのに十分であるので不正確である。更に、容器を生成するのに又はより正確に又はより迅速に容器を試験するのに使用することができると考えられるシステムの有利な設計への言及はない。
【００１２】
ＷＯ  ０１／３９９５７は、外側容器にそこに位置付けられた媒体を負圧の印加によって完全に吸引除去することができるように接続された剛性の実質的に寸法的に安定した外側容器と僅かに変形可能な内側容器とで構成される容器（２層式容器）を生成する方法に関連する。恒久的に開いたマッシュシームが、容器の肩部上に設けられる。その結果、外側容器と内側容器の間の間隙に空気が流入することができる。これは、適切な圧力差を使用して内側容器の接着に打ち勝つ必要性を排除しない。これを穏やかな方式で又は内容物が抽出される時に内側容器が容器開口部の前に位置付けられず、それによって開口部を塞いで内容物を完全に抽出するのを妨げないようにこれを行うことができる方法も明らかではない。更に、容器生産又は容器試験の迅速化又は改善への言及はない。システムの有利な設計への言及もない。
【００１３】
ＤＥ  ８４  ３３  ７４５．１  Ｕ１は、バッグ状内側容器を含む容器に関連する。浸漬チューブの使用は、容器が可能な限り完全に空になることを保証するように意図している。ネック領域では、内側容器は係止することができ、一方で容器開口部は、底部領域に形成される。これは、浸漬チューブがランダムに塞がれた状態になるのを防止しない。更に、容器生産又は容器試験の迅速化又は改善への言及はここにはない。システムの有利な設計への言及もない。
【００１４】
ＥＰ  ２  １７２  ４００  Ａ１は、容器が底部シーム領域で開口される内側容器を含む容器を生成するためのブロー成型工程に関連する。これは、浸漬チューブがランダムに塞がれた状態になるのを防止しない。これに加えて、容器生産又は容器試験の迅速化又は改善への言及はない。システムの有利な設計への言及もない。
【００１５】
ＵＳ  ２００２／００１６８７  Ａ１は、バッグ状内側容器を含む容器に関連する。この場合に、底部でのシーム領域を使用して通気開口部を形成する。しかし、ここでもまた、容器生産又は容器試験の迅速化又は改善への言及はない。システムの有利な設計への言及もない。
【先行技術文献】
【特許文献】
【００１６】
【特許文献１】ＤＥ  ２  ９２７  ７０８  Ａ１
【特許文献２】ＤＥ  ２  ４３８  ２９８  Ａ１
【特許文献３】ＧＢ２１５５１１７  Ａ１
【特許文献４】ＷＯ  ０１／７６８４９  Ａ１
【特許文献５】ＡＵ  ２０１４  ３５５  ５４４  Ａ１
【特許文献６】ＵＳ  ２００４／０１１２９２１  Ａ１
【特許文献７】ＤＥ  １０  ２００６  ０１２  ４８７  Ａ１
【特許文献８】ＥＰ  ０  ３１３  ６７８  Ａ１
【特許文献９】ＷＯ  ０１／３９９５７
【特許文献１０】ＤＥ  ８４  ３３  ７４５．１  Ｕ１
【特許文献１１】ＥＰ  ２  １７２  ４００  Ａ１
【特許文献１２】ＵＳ  ２００２／００１６８７  Ａ１
【特許文献１３】ＷＯ  ０１／７６８４９
【発明の概要】
【発明が解決しようとする課題】
【００１７】
本発明によって対処される課題は、内部バッグを含む容器を生成することができる方法、関連のコンピュータプログラム製品、システム、及びその使用を提供することである。更に、本発明によって対処される課題は、容器の機能及び／又は圧潰性又は圧力均等化の信頼性が改善した内部バッグを含む容器を提供することである。
【課題を解決するための手段】
【００１８】
この問題は、請求項１、８、１１、又は１２に記載の方法、請求項１３、１４、１５、１６、及び１８に記載のシステム、請求項１９又は２０のいずれかに記載の容器、請求項２１に記載のコンピュータプログラム製品、又は請求項２２に記載の使用によって解決される。有利な発展は、従属請求項の主題である。
【００１９】
特に好ましくは、本発明は、容器の壁の内面からバッグ材料を剥ぎ取ることによって容器に位置付けられたバッグが形成されるか又はバッグの圧潰性が保証される内部バッグを含む容器に関連する。これに関して、容器は、バッグに位置付けられた又はそこに充填可能な媒体を抽出するための抽出開口部と、圧力均等化の目的のために周囲空気がバッグの外側にそれを通して到達することができる通気開口部とを含む。
【００２０】
容器の内部空間又は容器にその形状を与える壁によって形成された容積は、抽出開口部に関連付けられた抽出側と通気開口部に関連付けられた通気側とを含み、これらの側は、バッグ材料によって互いに分離される。特に、バッグ又はバッグ材料（バッグを形成する材料）は、容器の内部空間の異なる部分の間に障壁を形成し、それによって抽出開口部と流体連通しているバッグ内部空間をバッグの外側と流体連通している通気開口部から特に液密及び／又は好ましくは気密方式で分離する。
【００２１】
抽出側は、好ましくは、バッグの内面に対応する又はそれに関連付けられる。言い換えれば、抽出側は、バッグによって又はバッグを形成する材料によって封入された空間に対応する又はそれと流体連通している。
【００２２】
通気側は、好ましくは、バッグの外側に対応する又はそれに関連付けられる。言い換えれば、通気側は、外側容器の内面とバッグ又はバッグを形成する材料との間に形成された空間に対応する又はそれと流体連通している。
【００２３】
本発明の第１の態様により、バッグを形成するために又は容器の内部空間内でそれを剥ぎ取るために、初期状態にある時に容器壁の内面に付着しているバッグ材料が、通気側と抽出側の間に発生している差圧によって又は抽出側に通気側よりも低い圧力が発生していることによって剥ぎ取られ、バッグは、バッグのバッグ材料の剥離によって形成される及び／又はバッグの圧潰性が保証される。この場合に、バッグは、好ましくは、通気側と抽出側の間で差圧を交互に変化させることによって段階的に容器の壁の内面から剥ぎ取られる。
【００２４】
容器は、好ましくは、容器の壁によって形成された実質的に剛性の又は寸法的に安定した外側容器を含む。
【００２５】
容器は、好ましくは、壁を形成する材料からチューブが最初に形成される（特に適切な加熱の後で）押出しブロー方法によって生成される。次に、このチューブは、容器の形状に加工することができる。そうするために、ガス、特に空気が、好ましくは、チューブ材料が内側から型に対して押圧される又は吹き付けられる（生産工程における成型段階）ようにチューブ開口部を通って誘導される。
【００２６】
特に好ましくは、容器の生成中に、バッグ材料は、容器の壁を形成する材料と共に共押出しされる。工程では、互いに直接に当接する２つの同軸チューブが同時に形成され、又は二重層チューブが形成される。２つのチューブ又は２つの層は、好ましくは、異なる材料から構成される。外側チューブ又はチューブの外側層は、壁（外側）になることになるものを形成し、内側チューブ又は内側層は、容器のバッグ（内側）になることになるものを形成する。工程では、バッグ材料は、好ましくは、例えば恒久的で不可分の方式では互いに合体しないプラスチック材料を使用することにより、好ましくは異なる熱可塑性プラスチックを使用することにより、及び／又はセパレータを使用することにより、容器の壁を形成する材料から分離可能に留まる。
【００２７】
容器は、上述の共押出しによって又は別の方法で生成されて、壁（外側）及びバッグ（内側）を形成する材料を構成する同軸の直接に当接するチューブから好ましくはブロー工程を使用して生成される。バッグ材料は、次に、容器の壁の内面に付着したままに留まる。
【００２８】
本発明の態様は、上述の方式で生成される容器に特に有利であるが、特にそれらの生成に起因して、バッグ材料が好ましくは最初に容器の内面に付着する別の方法で生成される容器にも適用することができる。
【００２９】
この方式で容器の壁に付着するバッグ材料は、バッグの圧潰性を損ない、すなわち、バッグ又はバッグ材料によって封入された容積がここで製品で充填され、その製品が次に抽出される場合に、容器内に真空が形成される。その真空が接着力によって生じる逆圧に等しいか又はそれを超えるほど十分に大きい状態でのみ、バッグ材料は容器の壁から剥ぎ取られ、それによってバッグを形成し、圧力は、バッグの内部容積を圧潰又は低減することによって均等化することができる。バッグ内の真空は、バッグからの製品の抽出に悪影響を及ぼすので、容器又はバッグが充填される前に壁からバッグ材料を事前に剥がしていること、及び従って製品が初めて抽出される時でさえもバッグの圧潰性を保証することが有利であると判明している。これに関して、提案する交替する差圧を使用することは、これが穏やかな方式で段階的にバッグ材料を剥離するので特に有利であることが見出されている。従って、これは剥離工程によって生じるバッグへの損傷を防止することができる。
【００３０】
独立に実施することもできる本発明の別の態様は、バッグが圧潰することができる容積、バッグが容器の内壁から剥ぎ取られた程度、及び／又は対応するパラメータを決定する方法に関連する。
【００３１】
厳密には、剥離の程度は、バッグが剥ぎ取られた壁表面積の割合を内壁表面積全体の割合と比較した商を意味すると理解しなければならない。しかし、剥離の程度を直接に決定することはほとんど不可能であり、従って、本明細書で剥離の程度の決定に言及する場合はいつでも、剥離の程度に相関する１又は２以上のパラメータが検査される。これに関して、容積を変える又は圧潰するバッグの機能が剥離の程度に依存するという事実が好ましくは利用される。通気側圧力が抽出側圧力よりも高い圧力差がある場合に、バッグは、それが壁に付着しない場合に単に圧潰することができる。
【００３２】
特に好ましくは、剥離の程度、容積、及び／又はパラメータは、圧力測定に基づいて決定される。この場合に、例えば圧力貯留容器又は圧力均等化容器によって実施される圧力貯留容積が特に設けられる。その容器は、ターゲット圧力までもたらされ、次に、圧力貯留容積と通気側の間の圧力が均等化されるように通気側に接続される。圧力均等化の後で圧力貯留容積又はバッグの通気側に生じる圧力は、パラメータとして又は剥離の程度を決定するために測定される。
【００３３】
好ましくは、ターゲット圧力は抽出側の圧力を超え、従って、バッグは圧力均等化によって変位される。バッグが抽出側に向けてより多く変位されるほど（すなわち、それがより多く圧潰するほど）、通気側で測定される圧力は低くなる。
【００３４】
バッグの圧潰にバッグ材料が容器の壁からそれ以上剥ぎ取られることを必要とせずに、バッグが少なくとも実質的に完全に圧潰可能であるような低い程度までバッグが容器の壁に単に付着することが有利であることが判明している。この場合に、バッグから製品を抽出する時のあらゆる逆圧の蓄積は、少なくとも実質的に全体的に防止することができる。
【００３５】
これに関して、十分な及び／又は完全な圧潰は、バッグ材料がまだ部分的に付着している時でさえも可能であるので、バッグ材料が容器の壁から完全に剥がれることは厳密には必要ではない。この関連では、バッグの完全な圧潰は、可能な限り最小の又は可能な限り緊密なバッグの互いの折り畳みを特に意味すると理解されるが、折り畳み性はバッグの材料特性によって限定される。好ましくは、バッグは、通気側が、容器の壁によって形成された内部空間（バッグ材料自体が占める容積を差し引き、及びバッグが十分に圧潰した時でもバッグ材料の可能な限り最小の曲げ半径によって生じるバッグ材料の折り畳みの間に依然として閉じ込められた容積を差し引く）を少なくとも実質的に又はほとんど完全に充填するように十分に圧潰性である。
【００３６】
少なくとも部分的に容器の壁から剥ぎ取られたバッグは、好ましくは、その時に通気側が大きく占める容積以外に容器の内部空間が、例えば、容器の総容積の１０％未満、好ましくは５％又は３％未満であり、バッグ材料及び任意的に抽出デバイスが占める容積だけの好ましくは抽出側に僅かに数パーセントの死容積を含む程度まで圧潰可能である。好ましくはこの死容積は、バッグが十分に圧潰した時でさえもバッグ材料の可能な限り最小の曲げ半径によって生じるバッグ材料の折り畳みの間に依然として閉じ込められた容積だけによって実質的に形成される。対応する剥離の程度を決定又は検証するために、上述の方法は特に信頼性があり、正確かつ迅速であると判明している。
【００３７】
提案する差圧方法を使用して、穏やかな方式で内側バッグを形成する又は容器の壁からそれを剥ぎ取ることが可能である。一般的に、抽出側と通気側の間の漏出に至る断裂又は漏出のような欠陥は、容器を生成する時に完全には除外することができない。既に充填された容器での不良品を防止するために、そのような漏出を可能な限り早期に識別することが有利であると判明している。
【００３８】
有利なことに、バッグを形成する又は剥ぎ取るための本発明の第１の態様は、バッグが圧潰することができる容積、バッグが容器の内壁から剥ぎ取られた程度、及び／又は対応するパラメータの決定に関連する第２の態様と組み合わせることができる。そのするために、第２の態様による方法は、好ましくは、第１の態様による方法の後に来る。好ましくは、従って、最初にバッグ材料を剥ぎ取るか又はバッグを形成し、バッグが圧潰することができる容積、剥離の程度、又は対応するパラメータをその後に決定する。
【００３９】
バッグ材料の剥離中と同じくらい早期にバッグの剥離及び／又は気密性の程度の第１の好ましくは大まかな決定を実行することを提供することができる。この目的のために、特性、特に通気側及び／又は抽出側の圧力又はその間の差圧の変化、特に経時的な変化を検証して解釈することができる。例えば、バッグ内の大きい漏出は、圧力がバッグを通して又はバッグ材料を通過して均等化されるために剥離工程に望ましい差圧に達しない結果をもたらす可能性がある。このようにして大きい漏出又は大きい漏れが識別された場合に、容器を取り除く又は更に別の方法段階を放棄することができる。
【００４０】
独立に実施することもできる本発明の別の態様により、バッグの気密性が決定される。この場合に、通気側と比べて抽出側に過圧をまず印加するので、バッグは容器の壁に接合する。更に、通気側に又はその傍に閉じた試験容積を生成する。この試験容積では、試験持続時間に従って又はそれに依存して圧力又は圧力差を決定し、この圧力又は圧力差をバッグの気密性に対するインジケータとして使用する。
【００４１】
この場合に、試験容積は、初期には真空下に、又は抽出側の圧力と比べて及び／又は周囲圧力又は常圧と比べて負圧下にあることが特に好ましい。この真空又は負圧は、試験容積から空気を抽出すること、特にポンプで吸い出すことによって生成することができる。試験容積がこの状態にある時に、第１の圧力測定を行う。試験持続時間にわたって又はその後に、圧力又は差圧を決定するために少なくとも第２の圧力測定を行う。
【００４２】
本発明の意味では、７０ｋＰａ未満、好ましくは６０ｋＰａ未満、特に５０ｋＰａ未満の絶対圧でも「真空」と呼ぶことが好ましい。この真空は、特に低真空（０．１〜３０ｋＰａの絶対圧）とすることができる。
【００４３】
好ましくは、「負圧」は、周囲圧力（常圧又は１０１．３ｋＰａ）よりも低いか又は別の基準容積の圧力よりも低い、好ましくは３０ｋＰａよりも多くだけ、特に４０ｋＰａよりも多くだけ低い圧力を意味すると理解しなければならない。負圧は、低真空の圧力範囲に近いか又は低真空の最大値と呼ばれる３０ｋＰａの負圧から高々４０ｋＰａ、３０ｋＰａ、又は２０ｋＰａ高い絶対圧とすることができる。
【００４４】
具体的に気密性試験の場合に、当初又は第１の測定の際、周囲圧力（常圧又は１０１．３ｋＰａ）よりも少なくとも３０ｋＰａ低い、好ましくは周囲圧力（常圧又は１０１．３ｋＰａ）よりも４０ｋＰａ又は５０ｋＰａ多く及び／又は８０ｋＰａよりも少なく、特に７０ｋＰａよりも少ないだけ低い真空又は負圧を試験容積内に生成することが好ましい。従って、試験容積内の絶対圧は、７０ｋＰａ未満、好ましくは６０ｋＰａ未満、特に５０ｋＰａ未満、及び／又は２０ｋＰａよりも高い、特に３０ｋＰａよりも高いことが好ましい。
【００４５】
試験期間を通して、抽出側は、通気側に対して少なくとも実質的に一定の又は可変的な過圧を有することができる。抽出側を通気する、すなわち、周囲に接続することができるので、周囲空気は出入り可能である。この場合に、通気側と抽出側の圧力差の数値は、通気側の負圧の数値と一致する。しかし、特に好ましいのは、周囲に対して例えば周囲圧力から１５０ｋＰａ〜２５０ｋＰａ高い、及び／又は通気側に対して例えば２００ｋＰａ〜３００ｋＰａの通気側の過圧である。
【００４６】
気密性試験に関する上述の方法は、バッグを容器の壁に接合させることによってバッグが測定結果に影響を及ぼさないという点で有利であり、その結果として通気された又は排気された通気側の圧力増加は、高い信頼度で気密性と相関するので、気密性のインジケータとして実質的に使用することができる。更に、容器の壁は、バッグ材料が内部に印加された過圧によって過剰に延伸されないように保護する。
【００４７】
更に、通気側の負圧を測定することは、比較的簡単な方法で非常に正確に低い圧力差を決定することができるという点で有利である。それにより、気密性を確実にかつ同時に比較的簡単な方法で決定することが可能になる。
【００４８】
有利なことに、バッグの気密性の試験を上述の態様と組み合わせることができる。これに関して、大きい漏出に関する試験を剥離工程中に及び／又は剥離の程度の決定中に実行することができ、バッグの気密性は、大きい漏出が検出されなかった時にのみ試験される。これに代えて又はこれに加えて、気密性試験は十分な剥離の程度が決定された時にのみ実行され、バッグは十分に圧潰性であるか又は対応するパラメータが予め定められた範囲又は許容範囲に入り、すなわち、容器は、前の態様では事前に排除されていない。
【００４９】
独立に実施することもできる本発明の別の態様により、容器は、非円形で好ましくは細長く、特にスロット状の通気開口部を有する。好ましくは、システムの（試験）チャンバに挿入中に又はその結果、半径方向の圧力が容器に印加され、通気開口部に又は非円形通気開口部の長手軸の方向に特にその流体力学的直径及び／又は開口断面積が拡大するように作用する。
【００５０】
原理的には、通気開口部には小さい流体力学的直径又は開口断面積が好ましく、それは、ガス交換と、潜在的にはバッグ材料を通して拡散する可能な物質の漏出とを低減するからである。しかし、本発明による方法の場合に、流体力学的直径又は開口断面積を一時的に拡大することが好ましく、それは、流動抵抗の低減を達成し、及び従って時間を節約して精度を改善することができるからである。
【００５１】
ある一定の時間量にわたって又は可逆的に（流体力学的）直径又は開口断面積を拡大することが可能であるように、通気開口部は細長く、すなわち、これが、半径方向又は横方向の圧力が容器に印加された時に可逆的で一時的な延び又は反転をもたらし、それによって（流体力学的）直径又は開口断面積を広げる。特に、少なくともスロット状通気開口部に沿う方向に又は通気開口部の長手方向延長線の方向に容器に対して圧力が生成される。その結果、容器は通気開口部の領域で圧縮され、好ましくはスロット状の通気開口部を押し分けることに至る。
【００５２】
独立に実施することもできる本発明の別の態様は、好ましくは本発明の方法の１又は２以上を実行するように設計されたシステムに関連する。このシステムは（試験）チャンバを含み、そこに試験チャンバが抽出側と通気側を互いから別々に緊密に固定するように容器を挿入することができる又は挿入される。特に、試験チャンバは少なくとも２つの入口と密封手段とを含み、抽出側と通気側の両方へのアクセスを可能にする一方でそれらを互いに対して密封するようにする。
【００５３】
独立に実施することもできる本発明の別の態様により、システムは、抽出側と通気側の間に差圧を生成して容器の内壁からバッグを剥ぎ取るように設計される。このようにして、壁に付着したバッグ材料を剥ぎ取ることができ、従ってバッグを形成することができ、そのバッグは、その後、特に恒久的に及び／又は常に差圧を印加することなく圧潰することができる。特に、システムは、本発明の第１の態様による方法を実施するように設計される。
【００５４】
独立に実施することもできる本発明の別の態様により、システムは、圧力貯留容積、特に圧力均等化容器を含み、この圧力貯留容積を通気側の圧力とは異なる（事前定義可能な）圧力にするように設計される。更に、システムは、好ましくは、試験チャンバを使用して圧力貯留容積を通気側に接続するバルブを有するので、圧力貯留容積と通気側の間の圧力を均等化することができる。このバルブ又は別のバルブを使用して、圧力均等化の前に圧力貯留容積を分離すること、特に圧力源から圧力貯留容積を切り離すことができる。システムはまた、通気側と圧力貯留容積の間の接続の確立中に又はその後に圧力変化を決定するように設計された圧力センサを含むことが好ましい。この目的のために、圧力センサは、圧力貯留容積、通気側試験チャンバ、又はそれらの間に設けるか又は固定することができる。その結果、十分な剥離の程度を迅速かつ確実に検証することができる。圧力センサが限界値を超える圧力降下を識別する場合に、大きい漏出を検出することも可能である。
【００５５】
特に、システムは、本発明の第２の態様による方法を実施するように設計される。この工程では、システムはまた、本発明の第１及び第２の態様を特にこの順に実行するように設計することができる。
【００５６】
独立に実施することもできる本発明の別の態様により、システムは、気密性を決定する又は容器に設けられたバッグの気密性を試験する又はその漏出を試験するように設計され、その場合に、抽出側と通気側の間に差圧を確立することができ、システムは、圧力センサとその圧力センサに接続した分析デバイスとを有する。この場合に、分析デバイスは、差圧の変化を測定するように及びこの変化を閾値と比較するように設計される。
【００５７】
好ましくは、システムは、気密性、漏出、漏れ、又はそれらの程度をその値が閾値に到達した、閾値を上回った、又は閾値を下回った時に又はその結果として検出することができ、好ましくは場合により容器の処分を開始することができる。
【００５８】
特に、気密性を決定する又は気密性を試験する又は漏出を試験するために、システムは、抽出側に負圧を生成するように、及び通気側に抽出側及び／又は周囲と比べて負圧を生成するように設計される。更に、システムは、通気側及び／又は周囲に対して負圧を抽出側に生成するように設計されることが好ましい。このようにして、本発明のシステムを使用して差圧を生成することができる。次に、好ましくはある期間の後又はそれにわたって通気側の圧力変化がシステムによって識別され、これに基づいて気密性が試験される又は気密性が決定される。
【００５９】
特に、システムは、本発明の第３の態様による方法を実施するように設計される。更に、システムは、本発明の第２及び第３の態様による方法、特に好ましくは第１、第２、及び第３の態様による方法を特にこの順で実行するように設計することができる。一方で、対応する利点がこうして達成される。他方で、同じシステムで異なる段階を組み合わせることにより、時間を節約し、システムの複雑さを低減することができる。しかし、これに代えて、異なる方法又は方法段階を異なるシステム又はチャンバで実行することも可能である。この目的のために、システムは、２又は３以上のチャンバを有することができる。
【００６０】
原理的には、剥離の程度を決定するために既に使用されたのと同じ圧力センサが圧力測定に使用される。圧力センサは、すなわち、通気側に接続することができる。
【００６１】
システムは、通気側を排気するか又は通気側の圧力下げるために真空ポンプを有することも好ましい。これに代えて又はこれに加えて、システムは、圧力ポンプ、圧縮空気源、又は抽出側に過圧を生成するための別のデバイスを有する。
【００６２】
過圧によって発生された圧力差が抽出側に印加される事象では、バッグは、容器壁に接合される。従って、その後に検出される通気側の（負の）圧力のいずれの変化もバッグの透過性と相関することを保証することができる。従って、その結果が、すなわち、その後に検出される（負の）圧力の変化がバッグの容積変動に又は容器の追加の膨張に影響されないことが特に保証される。更に、通気側の（負の）圧力の観察は、特に迅速で正確であることが判明しており、それは、小さい圧力増加でも確実に検出することができ、漏出を検出するために使用することができるからである。（低い）真空又は負圧は精度の高い決定に特に有利であることが判明しており、それは、この場合に生じる圧力変動を非常に正確に決定することができ、及び従ってバッグの小さい漏出でも確実に検出することができるからである。
【００６３】
独立に実施することもできる本発明の別の態様により、システムは、容器のための又は容器と共に（試験）チャンバを含み、そのチャンバは、特に先細の直径を使用して、容器をチャンバに挿入することによって又はその挿入中又は挿入後に容器の壁に半径方向圧力を生じるように設計されるので、通気開口部の流体力学的断面を拡大することができる。拡大した直径又は開口断面積を使用して、通気開口部を通じた圧力均等化を迅速化することができる。その結果、バッグ材料の剥離を改善する又は迅速化することができ、及び／又は通気側の測定を迅速化する又はその精度を改善することができる。
【００６４】
独立に実施することもできる本発明の別の態様は、内部バッグを含み、かつ本発明による方法に従って生成するか又は試験することができる容器に関連し、そのバッグは、容器ベースと好ましくは対向する抽出開口部との間の延長方向の一部分内で容器の内壁に付着する。
【００６５】
上述のように、製品の抽出中の逆圧（バッグが壁に付着することによって生じる）の発生を防止するために、製品が充填される前にバッグ材料を壁から剥ぎ取ることが有利である。しかし、バッグ材料が具体的には主延長方向にある程度容器の内壁に付着したままに留まることも有利であることが見出されており、それは、これがバッグの特定の圧潰方向及び従って製品の少なくとも実質的に全てを抽出する機能を可能にするからである。
【００６６】
有利なことに、バッグが容器の内壁に沿って付着するので、バッグが圧潰する時に、それは、スパイク又は浸漬チューブのような吸引要素の面にわたってその端部の吸引開口部を塞ぐことなく少なくとも実質的に横方向に折り畳むことができる。それにより、残留容積の低減及び／又は信頼性の改善が可能になる。
【００６７】
独立に実施することもできる本発明の別の態様は、実行された時に本発明による方法を特に提案するシステムを使用して実行するプログラムコード手段を有するコンピュータプログラム製品に関連する。コンピュータプログラム製品は、圧力調整及び／又はバルブ制御を使用してバッグ材料を段階的に剥離させ、圧力センサを使用してバッグの剥離の程度の識別を可能にし、かつ圧力センサデータの分析を可能にする及び／又は圧力センサデータの時間曲線を分析することによって気密性の検証を可能にするコンピュータ可読ストレージ媒体及び制御デバイスとすることができる。
【００６８】
独立に実施することもできる本発明の別の態様は、バッグ材料を剥ぎ取ることによって容器内にバッグを生成するための及び／又は提案する方法のいずれかを使用してその容器を試験するための提案するシステムの使用に関連する。
【００６９】
本発明の他の態様及び利点は、特許請求の範囲及び図面を参照する好ましい実施形態の以下の説明から明らかになるであろう。
【図面の簡単な説明】
【００７０】
【図１】バッグ材料を剥ぎ取るための提案するシステムを通した概略断面図である。
【図２】バッグ材料を剥ぎ取る方法における概略圧力曲線グラフである。
【図３】剥離工程に関連するブロック図である。
【図４】剥離の程度を決定するための提案するシステムを通した概略断面図である。
【図５】図４からの断面線Ｖ−Ｖに従って試験チャンバを通した概略断面図である。
【図６】剥離の程度の決定に関連する概略ブロック図である。
【図７】気密性試験に関連する概略ブロック図である。
【図８】気密性試験方法における概略圧力曲線図である。
【図９】通気開口部の領域内の容器を通した断面図である。
【発明を実施するための形態】
【００７１】
図では、同じ又は類似の部分に対して同じ参照記号を使用し、その説明を繰り返さない場合でも類似の部分は互いに対応することができ、及び／又は類似の特性及び利点を達成することができる。
【００７２】
図１は、容器４の内部空間３内でバッグ２を形成するための又は容器４の内部空間内でバッグ２の圧潰性の機能を保証するためのシステム１を通した概略断面図である。
【００７３】
容器４は、壁７を含むか又は壁７によって形成される外側容器８を含むことが好ましい。外側容器８及び／又は壁７は、少なくとも実質的に寸法に関して安定しているか又は剛性であることが好ましいが、力によって弾力的に及び／又は可逆的に変形可能であることが好ましい。外側容器８は、容器４にその形状を与え、かつそこに開口部を定める。
【００７４】
特に、バッグ材料５は、最初に容器４の壁７の内面６に付着している。
【００７５】
好ましくは、バッグ材料５は、少なくとも実質的に外側容器８又は壁の内部を裏打ちする。これは、特にバッグ材料５と壁７の材料との当接層を有して容器４を生成することによって達成することができる。この目的のために、バッグ材料５及び壁７を特に最初に成型し、特に共押出しして２つの同軸チューブを形成し、その後に、好ましくはブロー工程を使用して容器４にその形状を与える。
【００７６】
バッグ材料５及び壁７は、好ましくは、恒久的で分離不能な接続又は破壊によってのみ分離可能な接続の状態では合体せず、特に化学結合を形成しない。これに代えて、それらは、互いに当接し、及び／又は好ましくは解除可能又は分離可能な方式で又は接着して（特に破壊することなく）直接的に付着する。
【００７７】
本発明の場合に好ましいのは、直接接触しているにも関わらず、破壊することなく分離可能な方式で接着的に付着する材料対である。これは、バッグ材料５と壁７を形成する材料との材料対を押出し加工中に混合物を形成しないか又は冷却した状態で分離するかのいずれかであるように選択することによって達成することができる。好ましくは、バッグ材料５と壁７を形成する材料とは、異なる熱可塑性プラスチックであり、特に材料対ＰＥ／ＰＰのような異なるポリオレフィンである。好ましくは材料の融点が異なり、好ましくは３０℃よりも多く、特に４０℃又は５０℃よりも多くだけ異なる。好ましくは、例えば、１００℃未満で分離するように、材料は僅かな混合エントロピーを示すことが好ましい。これに代えて又はこれに加えて、各材料の固有接着力は互いに対する接着力よりも大きいとすることができる。直接隣接する材料の剥離力は、好ましくは８Ｎ／１００ｍｍ未満、特に５Ｎ／１００ｍｍ未満である。
【００７８】
適切な材料対の選択に関する１つの重要な判断基準は、材料対（溶融質量での）のＨｕｇｇｉｎｓ相互作用パラメータχが、限界Ｈｕｇｇｉｎｓ相互作用パラメータχｃよりも好ましくは少なくとも２、５、又は１０の係数だけ小さいことである。この場合に、Ｈｕｇｇｉｎｓ相互作用パラメータχは、Ｆｌｏｒｙ−Ｈｕｇｇｉｎｓ溶液理論に基づく当接ポリマーの接着挙動を説明する。
【００７９】
しかし、これに代えて又はこれに加えて、押出し加工中にバッグ材料５と壁７を形成する材料との間でセパレータを使用するか又は別の対策を取り、その後にバッグ材料５を壁７から剥ぎ取ることができる。
【００８０】
容器４は、好ましくは、バッグ２内に配置可能な製品を抽出するための抽出開口部９を含む。特に、抽出開口部９は容器４のネック領域１０によって形成される。ネック領域１０は、特に圧着接続又は圧力嵌めを使用してシール又はアダプタに適合するカラーを有することができる。抽出開口部９は、バッグ２又はバッグ材料５によって封入された容積の内部へのアクセスを可能にする。抽出開口部の領域では、バッグ材料５は、好ましくは恒久的に密封される方式で壁７に当接する。これは、圧着又は押圧によって達成することができる。
【００８１】
容器４はまた、通気開口部１１を含むことが好ましい。図示の例では、これは、抽出開口部９から遠隔の又はそれに対向する容器の側で外側容器８又はその壁７に設けられるが、原理的には別の点に設けることもできる。通気開口部１１は、バッグ２の外側又は抽出側１２から遠隔のバッグの側において容器４の内部空間３へのアクセスを可能にする。
【００８２】
好ましくは、通気開口部１１の生成は、容器４の生成工程の１段階であり、特にこの段階は、生成工程の成型段階の後であり、かつ壁７からバッグ材料５を（少なくとも部分的に）剥ぎ取る段階の前に行われる。好ましくは、容器４は、好ましくは２部品成型又はブロー成型を使用して、互いに入れ子になった同軸配置チューブ及び／又は共押出しチューブから成形される。特に好ましくは、チューブが少なくとも１点で互いに圧着されるように、２部品成型又はブロー成型の部品がチューブの上に閉じられる。これが好ましくは、外方に突出するシーム又は底部シームを形成するので、内部バッグ材料５が互いに溶接されるか又はバッグの密封がこの時点で内側チューブから形成される。このようにして、最初にチューブ状のバッグ材料５から抽出開口部９でのみ開いてバッグ材料５で囲まれる容積を形成することが可能である。好ましくは、通気開口部１１がそのシーム又は底部シームの領域に形成される。
【００８３】
好ましくは、通気開口部１１は、底部シームを少なくとも部分的に切り離すが、好ましくは完全には切り離さないことによって形成され、成形の後でバッグ２のシームの少なくとも一部が容器４の壁７のシームの定位置に固定されたままであるようにする。次に、シーム方向に作用する半径方向力が底部領域に導入されて底部シームを破る。この場合に、ブロー成型を使用して生成された成型品の温度は底部シームを切り離す時に４０〜７０℃であること、及び外側容器は依然としてある程度まで可塑変形可能であり、その力によって生じた変形が恒久的な変形であり、弾性復元によって完全には元に戻らないようにすることが好ましい。図９に例示的に示すように、この結果は、バッグ材料５と壁７の間に通気開口部１１が形成される破れた底部シームである。
【００８４】
通気開口部１１では、壁７がバッグ材料５から取外し可能であるか又は剥ぎ取られるのが好ましく、それらは相互接続しておらず、すなわち、バッグ材料５と壁７の間に周囲空気が入ることができる。これは、壁７の内面６からのバッグ材料５の剥ぎ取り中に圧力の均等化を可能にする。通気開口部１１の生成に関する詳細については、ＷＯ  ０１／７６８４９の教示を参照する。
【００８５】
容器４の内部空間は、抽出開口部９に関連付けられた抽出側１２と、通気開口部１１に関連付けられた通気側１３とを含むのが好ましく、これらの側は、バッグ材料５によって互いに分離される。従って、抽出側１２は、好ましくはバッグに位置付けられた又はバッグ２の又はバッグ材料５によって形成された容器の内面であるか又はそれに接続するが、一方で通気側１３は、バッグ２又はバッグ材料５の外側に設けられるか又はバッグ材料５と壁７の間に設けられる。
【００８６】
図１によって示す例では、容器４はチャンバ１４内に配置される。チャンバ１４は抽出開口部コネクタ１５を含み、それを使用して、バッグ２の又はバッグ材料５によって形成された容器の内面に接続することができる。このようにして、例えば、圧縮空気を導入することができ、又はバッグ２の又はバッグ材料５によって形成された容器の内部空間を排気することなどができる。従って、特にコネクタは流体コネクタである。抽出開口部コネクタ１５は、好ましくは抽出側１２の一部を成し、それに関連付けられたか又はそれとの接続を許容する。
【００８７】
更に、チャンバ１５は好ましくは通気開口部コネクタ１６を含み、それは通気開口部１１と連通すること、特に流体連通していることが好ましい。この図示の例では、この連通は、容器４に沿って横方向に案内される接続経路１７と組み合わされて壁の穿孔によって行われる。しかし、通気開口部コネクタ１６はまた、別の方法で通気開口部１１と流体連通することができる。通気開口部コネクタ１６は、好ましくは通気側１３に接続するか又はその一部を成す。
【００８８】
抽出開口部コネクタ１５を使用して、バッグ２の又はバッグ材料５によって形成された容積の内面に過圧又は負圧を印加することができる。過圧又は負圧は、通気開口部コネクタ１６を使用して通気側に印加することができる。言い換えれば、好ましくは抽出側１２と通気側１３の間に圧力差を引き起こすために、抽出開口部コネクタ１５は抽出側１２への接続を可能にし、通気開口部コネクタ１６は通気側１３への接続を可能にする。
【００８９】
容器４と共に、チャンバ１４は、２つの流体的に別々の領域を形成し、すなわち、抽出側１２と流体連通している抽出側流体領域と、通気側１３と流体連通している通気側流体領域とを形成するように設計されることが好ましい。これらの領域は、バッグ２又はバッグ材料５によって互いから分離された圧力領域又は圧力回路を形成することが好ましい。システム１は、予め定められた又は事前定義可能な圧力をそれらの領域に印加するための及び／又は圧力均等化を目的に周囲に接続するための手段を含むことが好ましい。これは、ポンプ、バルブ、及び／又は圧力ストアによって実施することができる。
【００９０】
容器４は、バッグ２が正しく形成された場合に、抽出側１２が特に空気気密又はガス気密方式で通気側１３から流体的に分離するか又は抽出開口部コネクタ１５が通気開口部コネクタ１６から流体的に分離するように密封される方式でチャンバ１４に挿入されることが好ましい。この目的のために、特に空気気密又はガス気密方式で通気側流体領域に対して抽出側流体領域を密封するシール１８を設けることができる。図示の例では、この種のシール１８は、例えば、チャンバ１４のハウジングに対して端面で容器４のネック領域１０を密封し、又は抽出開口部９の縁部で容器４を密封する。
【００９１】
更に、システム１は、バッグ２又はバッグ材料５によって形成された容積を（抽出側で）通過する浸漬チューブ状のスパイク１９を含むことが好ましい。そのスパイクは、物質、特にガス又は圧縮空気を導入するか又は除去するための端部及び／又は側部の開口部を含む。
【００９２】
図１に示す例では、システム１はまた抽出側バルブ２０を含み、それにより、バッグ２への流入又はバッグ２からの流出を解除及び／又は防止することができる。従って、通気内部空間及び抽出側１２は、通気する及び／又はある圧力にもたらす及び／又は（気密方式で）閉じることができる。
【００９３】
更に、システム１は好ましくは通気側バルブ２１を含み、それによって通気側１３における流入又は流出を可能にするか又は防止することができる。その結果、バッグ２の外側又は通気側１３を通気する及び／又はある圧力にもたらす及び／又は（気密方式で）閉じることができる。
【００９４】
圧力センサ２２は、通気側１３に接続することが好ましい。圧力センサ２２は、通気側圧力、特に空気圧又はガス圧を測定するように設計かつ構成されることが好ましい。図示の例では、圧力センサ２２は通気側１３と直接流体連通している。しかし、他のソリューションも可能である。
【００９５】
本発明は、特に、バッグ２を形成するために容器４の壁７の内面６からバッグ材料５を剥ぎ取ることに関連する。
【００９６】
本発明の意味でのバッグ２は、好ましくは可撓性であり、特に好ましくは圧潰性構造である。
【００９７】
バッグ２は好ましくはバッグ材料５から生成される。バッグ材料５は好ましくはフィルム状である。
【００９８】
初期状態にある時に、バッグ材料５は壁７の内面６に特に接着によって保持される。従って、バッグは、典型的にバッグ材料５が壁７から自由に剥離することができるように、壁７の内面から剥ぎ取られる時にのみバッグ２になる。バッグ材料５が初めて壁７の内面６から剥がされると直ぐにこれは当て嵌まり、それは壁７とバッグ材料５の間の接着を取り除くからである。
【００９９】
システム１は、抽出側１２に接続することができる圧力デバイス２３及び／又は通気側１３に接続することができる圧力デバイス２４を含むことが好ましい。圧力デバイス２３、２４は、圧力を変化させるように、特に圧力を上げるか又は下げるように設計することができる。特に、この圧力は空気圧又はガス圧である。従って、圧力デバイス２３、２４は、例えば、圧縮空気源であるか又はそれを含むことができる。これに代えて又はこれに加えて、圧力デバイス２３、２４は、真空ポンプであるか又はそれを含むことができる。このようにして、圧力デバイス２３、２４は、抽出側１２と通気側１３の間に圧力差が生じることを可能にする。
【０１００】
本発明の態様により、差圧２５が、通気側１３と抽出側１２の間に生じ、バッグ材料５が容器４の壁７の内面６に付着する又は外側容器８が段階的に剥がれ、それによってバッグ２を形成するように交互に変化する。特に、差圧２５が交互に変化する時、（ａ）過圧と常圧、又は（ｂ）過圧と負圧、又は（ｃ）負圧と常圧が抽出側に交互に設定される。好ましくは、サイクル２８が設定圧力に対して予め定められ、複数のサイクル２８が特に剥離工程で連続して実行される。
【０１０１】
図１では、壁７に対して特に接着的に付着したバッグ材料５に加えて、部分的に剥離したバッグ材料５の変形が破線で示されており、すなわち、この変形は、剥離工程中の異なる状況を表し、又は異なる回数のサイクル２８の後で工程中に生じる。この場合に、模式的に示すバッグ材料５の形状の変形は、ある程度は剥離工程における、特に続く剥離工程又はサイクル２８における異なる剥離段階を表している（図面では、剥離工程中にバッグ材料５は外側から内側へ押される）。
【０１０２】
最初に、差圧２５を生成し、その時に抽出側１２に対して通気側１３に過圧が存在し、その結果としてバッグ材料２は最初に壁７から部分的に剥がれる。次に、差圧２５が符号に関して又は差圧２５の方向に関して逆転され、それにより、既に剥離したバッグ材料５は壁７に再接合する。これが、完全に又は部分的に第１のサイクル２８を形成する。
【０１０３】
続く段階では、差圧２５を再び生成し、その時に通気側１３の圧力は抽出側１２よりも高くなる。その結果、既に剥ぎ取られた部分のバッグ材料５が最初に壁７から離れ、続いてバッグ材料５の別の部分が壁から剥がれる。任意的に、差圧２５を符号に関して又は差圧２５の方向に関して再度逆転させることができる。得られる通気側１３に対する抽出側１２の過圧を使用して、剥ぎ取られたバッグ材料５を壁７に再接合させることができる。これが、完全に又は部分的に第２のサイクル２８を形成する。
【０１０４】
この第２の又はその後の追加サイクル２８では、差圧２５及び／又はその圧力曲線は、少なくとも実質的に第１のサイクルのものと一致又は類似することが好ましいが、代わりにそれは、少なくとも絶対差圧及び／又は差圧が印加される時間に関して第１サイクルのものから外れるとすることができる。
【０１０５】
この種の循環的な差圧印加により、バッグ材料５は穏やかな方式で段階的に壁７の内面６から剥ぎ取られ、製品を保持するための可撓性で圧潰性のバッグ２を形成する。
【０１０６】
差圧２５は、差圧２５の逆転前のゼロ又はゼロ交差と最大差圧２５との間で変化することが好ましい。最大差圧２５、特に抽出側１２に対する通気側１３の過圧は、好ましくは１００ｋＰａよりも高く、特に１５０ｋＰａよりも高く、及び／又は４００ｋＰａよりも低く、特に３００ｋＰａよりも低い。その結果、効率的な剥離と同時に、バッグ材料５の穏やかな取り扱いを達成することができる。
【０１０７】
一例では、差圧２５を生成するために、負圧又は真空が一方の側（特に抽出側１２）に生成され、過圧（特に、常圧又は周囲圧力及び／又は抽出側１２の圧力に対する）が他方の側（特に通気側１３）に生成される。更に、サイクル２８を形成する圧力条件は、好ましくは差圧２５の符号に関して交互に行う又は逆転させる又は反転させることができる。
【０１０８】
本発明の意味での真空又は負圧は、周囲圧力に関して少なくとも３０ｋＰａ、好ましくは４０ｋＰａ又は５０ｋＰａよりも低く、及び／又は８０ｋＰａ未満、特に７０ｋＰａ未満だけ低い負圧に対応することが好ましい。従って、この場合に、絶対圧は約２０〜６０ｋＰａである。従って、この場合に、他方側の過圧は、例えば、１５０〜２５０ｋＰａである。
【０１０９】
剥離サイクル（以下ではサイクル２８と呼ぶ）は、抽出側１２と通気側１３の間に正差圧の（厳密に）１つのフェーズ及び／又は負差圧の（厳密に）１つのフェーズを含むことが好ましく、すなわち、本発明の関連では、通気側１３の圧力が抽出側１２よりも高い時に正差圧が存在する。その結果、通気側１３の圧力が抽出側１２よりも低い時に負差圧が存在する。負差圧は、バッグ２又はバッグ材料５を壁７に対して又は壁７に向けて押圧するのに適するが、一方で正差圧は、反対方向にバッグ材料５に作用するか又はバッグ２内に作用するので、バッグ材料５は壁７から剥ぎ取られる及び／又はバッグ２は容器４の中心に向けて移動されるか又は押圧される。
【０１１０】
穏やかな剥離及び従って容器４の生成時の不良品数の低減を可能にするために、少なくとも２回のサイクル２８、好ましくは少なくとも３回のサイクル２８及び／又は１０回未満のサイクル、好ましくは８回未満のサイクル２８、特に６回未満のサイクル２８から構成される剥離工程が有利であると判明している。より少ないサイクル２８を使用して十分な剥離の程度を達成するためは、過度に高い差圧２５を必要とするが、これは容器４又はバッグ２に対する損傷のリスクを高める。過多のサイクル２８を使用すると、バッグ材料５に悪影響を与える。３〜４回のサイクル２８の使用が特に有利であると判明している。
【０１１１】
好ましくは、複数の同じ又は少なくとも類似のサイクル２８が設けられる。これは特に有利であると判明しており、それは、少なくとも最大正差圧の場合に、できる限り迅速に、それでも同じく同時に穏やかに剥離が実行可能な最適値又は最適範囲を識別することができる（特に、壁７を形成する材料とバッグ材料５との材料対に依存する）からである。従って、適切な差圧の最大値及び／又は圧力曲線は、異なるサイクル２８で同じ又は類似の方式で使用される。この場合に、バッグ材料５の壁７への戻りに迅速性、信頼性、及び穏やかさの均衡を見出すことができるので、負差圧を有する各サイクル２８の部分についても同様である。
【０１１２】
しかし、これに代えて又はこれに加えて、サイクル２８の圧力曲線は、互いに異なることも可能であり、例えば、開始時に、すなわち、第１のサイクル２８において高くした正差圧２５を使用して剥離工程の始まりを助けるようにする。これに代えて又はこれに加えて、正差圧２５をサイクル２８にわたって増大することができるので、特にバッグ材料５が剥離し始めた状態で、圧潰したバッグ２内の残容積を最小限にして剥離の程度を最適化することができる。これはまた、例えば、１又は２以上の中間サイクル２８における最大正差圧２５と比べて、少なくとも最初及び最後のサイクル２８における最大正差圧２５を増大することと組み合わせることも可能である。
【０１１３】
例示的に、図２は、工程時間ｔにわたって通気側圧力曲線２７の上に抽出側圧力曲線２６を示している。この場合に、時間軸は、周囲（空気）圧力に基づく圧力のゼロ線又はその周囲圧力に対応する。
【０１１４】
図示の例では、剥離工程には３回のサイクル２８を含む。しかし、単に２回又は３回よりも多いサイクル２８を設けることができる。
【０１１５】
サイクル２８において、抽出側圧力Ｐ１２は任意的に通気側圧力Ｐ１３よりも初期には高い。その結果、バッグ２を壁７に対して押圧することができる。
【０１１６】
その後に、抽出側圧力１２を下げて通気側圧力Ｐ１３を上げることにより、圧力差２５の方向が逆転される。これがバッグ２を圧潰させる及び／又はバッグ材料５を壁から剥離する。通気側圧力Ｐ１３が抽出側圧力Ｐ１２よりも高い一方、抽出側圧力Ｐ１２は、時間軸の下方に降下する抽出側圧力曲線２６に示すように、少なくとも１セグメントで周囲圧力よりも低下することができる。しかし、これは必要ではない。
【０１１７】
次に、圧力差の方向を逆転させること（以下で「圧力逆転」とも呼ぶ）により、抽出側圧力Ｐ１２は再び通気側圧力Ｐ１３よりも高くなることができる。その結果、バッグ２は壁７に再接合される。しかし、この段階は、次の段階の一部又はその始まりを成すことができる。
【０１１８】
従って、サイクル２８は厳密に２つの圧力逆転を含むことが好ましく、その場合に、圧力逆転が厳密に１つのサイクル２８に関連付けられる時に、抽出側圧力Ｐ１２と通気側圧力Ｐ１３とで構成される差がその符号を変える。
【０１１９】
サイクル２８は、抽出側圧力Ｐ１２と通気側圧力Ｐ１３の圧力差の２つの符号変化の間で厳密に１つのセグメントが与えられることが好ましく、そのセグメントにおいて、通気側圧力Ｐ１３は中断することなく抽出側圧力Ｐ１２よりも高い。これに代えて、サイクル２８は、抽出側圧力Ｐ１２と通気側圧力Ｐ１３の圧力差の２つの符号変化の間で厳密に１つのセグメントが与えられることが好ましく、そのセグメントにおいて、抽出側圧力Ｐ１２は中断することなく通気側圧力Ｐ１３よりも高い。
【０１２０】
サイクル２８は、少なくとも１つ、好ましくは少なくとも２つの差圧逆転を含むことが好ましい。差圧は、結果として交替型になる。
【０１２１】
図示の例では、各サイクル２８は、例えば、２つのフェーズＰ１、Ｐ２に分割される。第１のフェーズＰ１では、通気側圧力は、周囲圧力又は常圧と一致することができる通気側圧力Ｐ１３で始まることが好ましい。図示の例では、通気側圧力Ｐ１３は初期にランプ状に急勾配で増加し、次により低い勾配で通気側圧力Ｐ１３の別のランプ状上昇に移行する。次に、通気側圧力曲線２７の通気側圧力Ｐ１３は、再びランプ状方式で特に周囲圧力又は常圧にまで下降する。
【０１２２】
図示の例では、第１のフェーズＰ１における抽出側圧力曲線Ｐ１２は、周囲圧力又は常圧を超える抽出側圧力Ｐ１２で始まり、すなわち、第１のフェーズＰ１では、その圧力は初期にランプ状に常圧まで、次に周囲圧力又は常圧以下に低下し、その後に一定の抽出側圧力Ｐ１２に移行する。
【０１２３】
その結果、第１のフェーズＰ１では、バッグ材料５又はバッグ２に対して印加される差圧が生成され、この差圧は（任意的に）、初期には通気側よりも抽出側で高く、次にサイクル進行する時に抽出側よりも通気側で高くなり、最大値がこの工程で形成され、その後に差圧は再び低下する。
【０１２４】
第２のフェーズＰ２では、通気側圧力曲線２７は少なくとも実質的に一定である及び／又は通気側圧力Ｐ１３は常圧又は周囲圧力にある。
【０１２５】
第２のフェーズＰ２では、抽出側圧力曲線２６の抽出側圧力Ｐ１２はランプ状に増加し、工程中に常圧又は周囲圧力及び／又は通気側圧力Ｐ１３を通過する。このようにして、バッグ２又はバッグ材料５にわたって印加される差圧２５は符号を変える。
【０１２６】
サイクルが続く時に、抽出側圧力Ｐ１２は、好ましくはランプ状に更に増加し、抽出側圧力Ｐ１２は通気側圧力Ｐ１３よりも高くなる。次に抽出側圧力Ｐ１２は、ランプ状に増加する曲線からプラトー状の少なくとも実質的に一定の曲線に移行する。
【０１２７】
次に、圧力曲線２６、２７に関して恐らくは第１のサイクル２８と類似する第２の又は追加のサイクル２８が始まることができる。図２によって示す例では、全部で３回のサイクルが示されている。しかし、それとは対照的に、例えば、２回、４回、５回、又は６回のサイクル２８のようなより多い又はより少ないサイクルを設けることができる。
【０１２８】
最終サイクル２８の終わりに、抽出側圧力Ｐ１２及び通気側圧力Ｐ１３は、周囲圧力又は常圧に戻される。図示の例では、通気側圧力Ｐ１３は既にこの時に又は最終サイクル２８の第２フェーズにおいて常圧又は周囲圧力にある。抽出側圧力Ｐ１２は初期にはまだ常圧又は周囲圧力を上回っているので、好ましくはランプ状に常圧又は周囲圧力まで下げられる。剥離工程は好ましくはこの時点で完了する。
【０１２９】
図示の例では、剥離工程は任意的に圧力曲線２６、２７によって開始され、その場合に、抽出側圧力Ｐ１２は初期に通気側圧力Ｐ１３を超えて及び／又は周囲圧力を超えて増加し、その後に一定に保たれ、再びランプ状に部分的に低下する。この曲線は好ましくは準備のために使用され、その場合に、剥離工程が始まる前にチャンバ１４内への容器４の誤った配置又は容器４又はバッグ２の大きい漏出を検出することができる。誤った配置又はこの種の大きい漏出は、例えば、抽出側圧力に続く通気側圧力によって（部分的には）検出されることになる。
【０１３０】
最終サイクル２８の後、チャンバ１４を開けて容器４を放出することができる。これに関して、チャンバ１４は、容器４が最初はチャンバ１４の閉鎖部品上又はスパイク１９上でその抽出開口部９の領域内に保持されるように設計されることが好ましく、チャンバ１４から閉鎖部品を取り外す又はスパイク１９を引き出すことによって外される。
【０１３１】
チャンバ１４を開いた時又はその後の抽出側１２への過圧によって（又は吹き飛ばすことにより）、剥離工程又は最終サイクル２８の完了後に容器４をスパイク１９から取り外すことも好ましい。図示の例では、これは抽出側圧力Ｐ１２における吹出し圧力衝撃２６Ｐを使用して行われる。しかし、それは必要ではなく、別の方法で又は後で行うことができる。
【０１３２】
抽出側圧力曲線２６は、抽出側圧力デバイス２３により、特に抽出側バルブ２０と協働して生成されることが好ましい。通気側圧力曲線２７は、通気側圧力デバイス２４により、任意的に通気側バルブ２１を使用して生成されることが好ましい。圧力デバイス２３、２４は、対応する圧力生成、圧力制御、及び／又は圧力調整に対して設計されることが好ましい。
【０１３３】
図３は剥離方法の概略ブロック図である。そのシーケンスは、好ましくは段階Ａ１で始まる。段階Ａ２で、容器４をチャンバ１４内に好ましくは自動的に配置し、チャンバ１４を閉じる。
【０１３４】
段階Ａ３で、容器４がチャンバ１４内に位置するか否かに関して、好ましくはセンサを使用して検査を実施する。これは、例えば、容量的、光学的、誘導的、又は初期圧力試験で行うことができる。容器４をチャンバ１４内に検出すると、段階Ａ４で剥離工程が始まる。
【０１３５】
最初に、段階Ａ５で大きい漏出を検出又は分析する。この段階では、圧力を印加するか又ははっきりした圧力損失を検出することにより、穿孔された又は破れたバッグ材料５又は他の不完全な密封を検出することができる。
【０１３６】
段階Ａ６で、大きい漏出が検出された場合に、段階Ａ７によって試験又は剥離工程を中止する。必要ではないが、大きい漏出及び／又は容器漏出を検出することが好ましい。
【０１３７】
段階Ａ８では、抽出側圧力を下げることにより、特に抽出側に真空及び／又は負圧を生成することにより、好ましくは第１サイクルに関して実際の剥離工程が始まる。これに代えて又はこれに加えて、段階Ａ９で過圧を通気側に印加する。全体的に見れば、差圧２５がこのように通気側１３から抽出側に向けて生成され、その結果、容器材料５を壁７から剥ぎ取る。
【０１３８】
段階Ａ１０で、通気フェーズを実行することが好ましい。これは吹出し時間で始まり、その時間内にバッグ材料５を内側からの圧力により壁７の内面に再接合させ、第１サイクル２８前の初期状態に再び到達するようにする。次に、抽出側１２及び／又は通気側１３を任意的に常圧又は周囲圧力にもたらすことができる。
【０１３９】
次に、段階Ａ１１で、意図した回数のサイクル２８に既に達したか否かに関して検査を実行する。そうでなければ、例えば、３回又は４回のようなサイクル２８の意図する総回数が行われるまで段階Ａ８〜Ａ１０を繰り返す。
【０１４０】
意図した回数のサイクル２８が行われた場合に、段階Ａ１２で、容器材料５又はバッグ材料５は、任意的に、バッグ２内の過圧又は抽出側１２と通気側１３の間の差圧により、壁７の内面６に再接合される。
【０１４１】
次に、段階Ａ１３で、特に抽出側１２及び通気側１３を周囲に接続することにより、又は別の方法で周囲圧力を確立することにより、チャンバ１４を通気することができる。
【０１４２】
この後に、チャンバ１４を開放することができ、任意的に、剥離工程に続く吹出し圧力衝撃２６Ｐを使用して容器４を吹き飛ばすことができる。
【０１４３】
その後、剥離工程は段階Ａ１４で終了するが、更に別の試験工程にシームレスに移行することができ、その場合に、段階Ａ１２〜Ａ１４は任意的である。
【０１４４】
サイクル２８の長さに対応する周期長は、０．５秒よりも長く、好ましくは０．７秒よりも長く、特に１秒よりも長く、及び／又は３秒未満、好ましくは２秒未満、特に１．５秒未満続くことが好ましい。正差圧２５のフェーズ長は、好ましくは周期長の１／３又は１／２である。これは、良好な剥離工程と同時に受容可能な処理機能の観点から有利であると判明している。
【０１４５】
特に剥離方向の又は通気側１３から抽出側１２に向う特に最大（正の）差圧２５は、１００ｋＰａを超え、好ましくは１５０ｋＰａを超え、及び／又は６００ｋＰａ未満、好ましくは４００ｋＰａ未満、特に２５０ｋＰａ未満であることが好ましい。それにより、信頼性のある迅速で十分に穏やかな剥離を達成することができる。
【０１４６】
図４は別のシステム１（特に剥離の程度の決定のための）を示し、以下では、図１による実施形態と比べて追加部分だけを説明する。そうでなければ図１〜３に関連して与えた説明に言及する。更に、明確にするために、図１によるシステム１の特性は、図４のシステム特性に持ち越すことができ、図４によるシステム１を使用して実行することができる。
【０１４７】
図４によるシステム１はこれに加えて圧力貯留容積３０を含み、その圧力貯留容積３０は、圧力貯留容積３０と通気側１３の間の圧力均等化を可能にするために容器４とは別にターゲット圧力にもたらすことができ、その後に容器４の通気側１３と流体連通することができる。
【０１４８】
圧力センサ２２は、圧力貯留容積３０と通気側１３とを有する得られる全体システムに接続することが好ましく、従って、圧力センサ２２は圧力均等化から生じる圧力を測定することができる。
【０１４９】
この場合に、システム１を使用する時に、この得られた圧力は、剥離の程度に対するパラメータとして、又はバッグ材料５が壁７からどの程度剥離したかを決定するのに使用される。特に、閾値との比較が実行される。
【０１５０】
剥離の程度が高いか又は最大である場合に、バッグ２は、従って、十分に圧潰することができ（十分に圧潰したと見なされるバッグの一例は図４に見ることができる）、少なくとも実質的に十分に圧潰したバッグ２と壁７の間の容積は（内部空間３に突出するスパイク１９及びバッグ材料容積以外）、圧力均等化に関して少なくとも実質的に十分利用可能であり、圧力貯留容積３０内の元の過圧での圧力均等化の結果として、剥離の程度が低くて容器内部空間３の一部が付着したままのバッグ材料５によってまだ塞がれている場合よりも低い圧力が発生している。この場合に、その結果は圧力均等化後の比較的高い圧力である。
【０１５１】
従って、最小の意図する剥離の程度に対応する最大の許容圧力値を定めることが好ましい。圧力均等化後に得られた圧力がこの閾値を超える場合に、バッグ材料５の不完全な剥離を自動的に検出することが好ましい。
【０１５２】
バッグ材料５の不完全な剥離が検出された場合に、容器４は好ましくは捨てられ、特に自動的に放出されて処分される。原理的には、容器４が放出される前に１又は２以上の更に別の剥離サイクル２８を実行することも可能である。しかし、これはバッグ材料５の欠陥の可能性を増大するので、不十分に剥離したバッグ材料５を有する容器４を直ちに捨てるか又は処分することが好ましい。
【０１５３】
再現性のある結果を達成するために、圧力均等化の前に抽出側１２への過圧を使用してバッグ材料５を壁に接合させることができ、又は逆方向の差圧を使用して、特にバッグ２内に負圧又は真空を生成することによって可能な限りバッグ２を圧潰させることができる。
【０１５４】
好ましくは、その圧力は、容器４又はバッグ２の内圧、すなわち、抽出側１２の圧力に関わらず均等化される。この目的のために、測定中は抽出側１２を通気することができるので、周囲圧力がこの領域に行き渡る。これに代えて又はこれに加えて、抽出側１２を排気することができ、又は試験する各個別の容器４に対して可能な限り同じの負圧を加えてバッグ材料５が十分に剥離しなかった場合に伸縮性の大きい又は小さいバッグ材料５からの影響を防ぐようにする。
【０１５５】
圧力貯留容積３０は、予め定められた容積を有する圧力均等化容器として実施することができる。通気側圧力デバイス２４は、充填バルブ３１を開くことによって圧力貯留容積３０を事前定義可能な圧力にすることができ、及び／又は圧力貯留容積３０を事前定義可能な（ガス）容積で充填することができ、それによって過圧を生成する。充填バルブ３１を閉じて通気側バルブ２１を開放することにより、圧力均等化を開始することができる。圧力均等化の後に得られた圧力は、次に、圧力センサ２２によって測定され、分析することができる。
【０１５６】
図５は、挿入された容器４と少なくとも実質的に圧潰した又は最大に圧潰したバッグ２とを有するチャンバ１４を通した断面図である。バッグ材料５は壁７の内面６の大部分で剥がれており、図示の例ではスパイク１９を取り囲んでいる。更に、バッグ材料５は、ストリップ状部分に、好ましくは抽出開口部９と通気開口部１１の間の延長部に沿って及び／又はそれに対して横方向に残留ストリップ幅３２として言及する幅にわたって依然として壁７の内面６に付着している。この場合に、特定の残留ストリップ幅３２が有利であり、それは、バッグ２が少なくとも実質的に至る所に当接することができ、従って、極めて少ない残留容積を閉じ込める、すなわち、少なくとも実質的に十分圧潰するか又は圧潰可能であるからである。
【０１５７】
これに加えて、バッグ材料５が壁７に沿って長手方向にストリップ状部分で付着したままに留まることは有利であり、それは、少なくとも実質的にバッグ２の半径方向圧潰（だけ）を達成するか又は与えるからであり、すなわち、これは、引き続いて容器４を使用する時に浸漬チューブ又はあらゆる他の抽出デバイスが妨げられるようになるのを防ぐ上で役立つ。
【０１５８】
ストリップ状部分は、バッグ材料５をネック領域１０にかつ通気開口部１１に保持することによって生成することができる。更に、剥離工程又は上記剥離工程を実行する前に通気開口部１１の領域において容器４の中心軸に関して非対称にバッグ材料５をエッチングすることが好ましい。これは剥離に関する開始点を指定し、残留ストリップを反対側に形成することができる。
【０１５９】
容器４は、抽出開口部９を通してバッグ２の抽出側に突出する浸漬チューブを有する抽出デバイス（図示せず）と組み合わせることが好ましい。浸漬チューブを使用して、抽出側１２から製品を抽出することができる。ストリップ状部分は少なくとも浸漬チューブ開口部の領域に延びることが好ましく、その開口部は浸漬チューブの端部に位置することが好ましい。
【０１６０】
独立に実施することもできる態様では、本発明は、従って、提案する容器４と抽出側でバッグ２に挿入される浸漬チューブを有する抽出デバイスとの組合せに関連し、バッグ２は、長手方向に壁７に沿うストリップ状部分において浸漬チューブの開口部のレベルで壁７に付着している。
【０１６１】
容器材料５が容器壁７に付着したままの残留ストリップ幅３２を維持する一方、その剥離は、壁７の内周線の３６０°に基づいて４５°よりも大きく、特に６０°よりも大きく、特に９０°よりも大きいことが望ましい。
【０１６２】
特に好ましくは、残留ストリップ幅３２は、ＵＲ＝ＰＩ・（ＲＩ−ＤＫ／４）−ＲＩの５０％と１５０％の間、好ましくは７５％を超える及び／又は１２５％未満である。ここで、ＵＲは、バッグ材料５が残留ストリップ幅３２にわたって付着したままに留まる壁７の内径部分の長さに関連する。ＰＩは、数３．１４１５で始まる無理数定数（ｐｉ）に関連する。ＲＩは、容器４の内径又は中心軸を通って壁７から壁７に延びる直径の半分に関連する。ＤＫは、スパイク１９の外径に関連する。スパイク１９の外径ＤＫは、容器４の内径の１／２未満、特に１／４未満であることが好ましい。
【０１６３】
図６は概略ブロック図であり、これに基づいて、提案する容積試験又は剥離の程度の試験又は決定の例示的シーケンスを以下に説明する。
【０１６４】
本方法は、段階Ｖ１で始まり、その後に段階Ｖ２でチャンバ１４を閉じて、段階Ｖ３で容器４のチャンバ１４内への基本的な又は正しい挿入を検査する。これは、特に上述のように、センサを使用して行うことができる。容器が挿入されていない場合に、本方法は、終わるか又は段階Ｖ１又はＶ２で再開される。段階Ｖ１、Ｖ２、及び／又はＶ３は、容器が以前の方法によって挿入されたままの場合は省略することができる。
【０１６５】
次に、段階Ｖ４で、特に前もって実行することが好ましい剥離方法において大きい漏出が既に検出されたか否かに関して任意的な検査を実行する。大きい漏出が既に検出されている場合に、段階Ｖ５での試験を中止し、容器４を捨てるか又は除く及び／又は処分する。
【０１６６】
そうでない場合に、段階Ｖ６で、圧力貯留容積３０の全容積、バッグ２の圧潰のために通気側で利用可能なシステム１の容積及びそれらの間の容積、又は剥離の程度又は対応するパラメータ又は圧力の決定を開始する。
【０１６７】
図示の例では、これは、特に段階Ｖ７で大きい漏出に関する別の事前検査を実行することによって行われる。段階Ｖ１〜Ｖ７の全部又は一部は任意的であるが、効率及び速度の理由から好ましいと判明している。
【０１６８】
バッグ２が容器４の壁７の内面６から剥離している程度、又はバッグ２が十分に圧潰する機能の実際の決定は、段階Ｖ８での圧力貯留容積３０の準備をもって始まる。特に、圧力貯留容積３０は、予め定められた又は事前定義可能な圧力、好ましくは過圧にされる。これに代えて又はこれに加えて、その予め定められた圧力貯留容積３０は同様に予め定められたガス容積で充填され、この工程で圧力貯留容積３０に過圧が形成される。
【０１６９】
段階Ｖ９では、次に圧力貯留容積３０を特に充填バルブ３１を閉じることによって通気側圧力デバイス２４から切り離す。次に、バルブ２１を開放することにより、圧力貯留容積３０を通気側１３に接続する。従って、過圧下にある予め定められた圧力貯留容積３０が通気側に接続される。その際に、ガス、特に空気、又は別の適切な圧縮性媒体が、圧力貯留容積３０から通気側バルブを通ってチャンバ１４に、かつ通気開口部１１を通って通気側で容器４に流入する。この過程で、圧力貯留容積３０と通気側１３の間の圧力が均等化される。
【０１７０】
圧力貯留容積３０と通気側１３の間の圧力均等化の後に得られる圧力は、圧力貯留容積、接続ライン、チャンバ１４の通気側容積、及びバッグ材料５によって塞がれていない容器４内の容積の総容積に対応する。これらの最後に言及した構成要素に基づいて、従って、剥離の程度に関して結論を誘導することができる。従って、段階Ｖ１０で、上述の圧力均等化後に通気側に生じた圧力を測定することにより、及び／又はこの圧力をデフォルト又は閾値などと比較した後で、剥離の程度が決定又は検査される。
【０１７１】
段階Ｖ１１で、次に（好ましくは任意的に）チャンバ１４を抽出側及び／又は通気側で通気して（周囲圧力にして）開放し、容器４を取り除くことができる。段階Ｖ１２で、次に本方法を終了させ、別の容器４を使用して再度開始することができる。
【０１７２】
圧力貯留容積３０は、好ましくは容器４の容積と類似である。特に、圧力貯留容積３０は、容器容積の０．５倍を超える、好ましくは１倍を超える、及び／又は１０倍未満、好ましくは５倍未満である。特に、容器容積は、バッグ材料５が壁７に完全に配置された時のバッグ２内の容器４の容積である。容器容積と類似の圧力貯留容積３０は、好ましくは同時にチャンバ１４が好ましくは小さい容積、特に容器容積の３倍未満又は２倍未満の容積でありながら、高感度又は高分解能を達成することができるという点で有利である。圧力貯留容積３０がより大きい場合に、得られる圧力は、圧力貯留容積３０の圧力に対して相対的に少ししか変化せず、圧力貯留容積３０が容器容積よりも遥かに小さい場合に、その結果は、相応にほとんど剥離の程度に依存しない比較的低い圧力である。
【０１７３】
本方法の開始時に、圧力貯留容積３０は、抽出側１２が通気された時に抽出側圧力又は周囲圧力を好ましくは少なくとも６０ｋＰａだけ、好ましくは１００ｋＰａを超えて、及び／又は４００ｋＰａ未満、好ましくは３００ｋＰａ未満だけ超える過圧にもたらされることが好ましい。５０ｋＰａ〜２００ｋＰａの圧力貯留容積３０内の過圧が特に好ましく、それは、圧力均等化中に有意な歪みをバッグ２に負わせることなしに剥離の程度を確実に決定することを可能にするからである。
【０１７４】
独立に実施することもできる本発明の別の態様により、バッグ２の気密性は、好ましくはこれも図１か図４のいずれかによるシステムを使用して決定される。この工程では、後の信頼性を保証するために微細漏出又は薄い点などを検証することができる精度を達成することが好ましい。
【０１７５】
図７は概略ブロック図であり、これに基づいて、好ましい気密性試験をより詳細に説明する。
【０１７６】
本方法は好ましくは段階Ｄ１で始まり、その後に段階Ｄ２で、挿入された容器４を有するチャンバ１４を閉じる。段階Ｄ３で、容器４がチャンバ１４に挿入されたか否かに関して検査を実施することが好ましい。
【０１７７】
段階Ｄ４で、例えば、剥離方法のような前の方法で大きい漏出が既に検証されたか否かを決定することが好ましい。大きい漏出が検証されていた場合に、この試験を段階Ｄ５で中止することが好ましい。この場合に、段階Ｄ４は、段階Ｖ３又は段階Ａ４、Ａ５に対応するか又は一致することができ、又はこれらの段階のうちの１又は２以上の結果を考慮することができる。
【０１７８】
段階Ｄ６で、十分な剥離の程度が達成されたか否かに関して検査を実施することが好ましい。その際、特に圧力均等化後に得られた圧力が十分に低い、すなわち、閾値未満であるか否かを検査する。そうでない場合に、同様に段階Ｄ５で試験を中止する。段階Ｄ６は、図６に関連して説明した方法の全部又は一部、例えば、Ｖ８〜Ｖ１０を実施することができる。
【０１７９】
段階Ｄ１〜Ｄ６は好ましくは任意的であり、全てを実行する必要はない。特に、気密性試験は、段階Ｄ１〜Ｄ６なしで実行することもできる。
【０１８０】
気密性を試験するための提案する方法は、段階Ｄ７で始まる。段階Ｄ８で、比較的大きい漏出を最初に探す。そうするために、通気側１３は、例えば、通気側圧力デバイス２４を使用して負圧にされるか又は排気されることが好ましい。この場合に、圧力貯留容積３０は必要ではなく、バルブ（図示せず）を使用して封鎖することができ、又は図１によるシステム１を使用することができる。
【０１８１】
気密性試験に対して、次に通気側バルブ２１が閉じられる。圧力センサ２２を使用して、バッグ２がある程度の漏出を有することに相関する真空度の低下又は圧力増加を検証することができる。
【０１８２】
段階Ｄ８で、不正確な測定を防ぐための短い待機期間の後に、相対的に急激な圧力増加に関して真空度の圧力曲線が調べられる「大きい漏出分析」を実行する。測定された圧力増加を分析する時に段階Ｄ９で相対的に大きい漏出が検証された場合に、段階Ｄ５に従ってこの試験を中止する。
【０１８３】
大きい漏出が検証されなかった場合に、段階Ｄ１０で、予め定められた待機期間の後で圧力センサ２２によって圧力増加が検証される「細かい漏出分析」が続く。圧力増加が特定の閾値を超えた場合に、これは不完全な気密性を意味するものであることが確立され、好ましくは自動的に容器４を捨てる、除く、又は処分するなどを行う。
【０１８４】
圧力増加が予め定められた閾値未満である場合に、容器４は試験に合格し、従って、十分な気密性を有する。その場合に、本方法は段階Ｄ１１で終わり、通気側１３を通気し、抽出側１２を任意的に通気し、チャンバ１４を開放する及び／又は容器４を放出し、その後、段階Ｄ１２で終了する。
【０１８５】
図８は、気密性試験に関して通気側圧力Ｐ１３に対応する圧力曲線と、その上に通気側圧力１３を表すｙ軸に関する拡大詳細図とを示している。下側のグラフでは、図示のｘ軸は時間ｔに対応し、通気側圧力１３を表すｙ軸とゼロ点で又は周囲圧力で交差する。
【０１８６】
第１のセグメント３３では、通気側１３を排気するか又は負圧を生成することにより、特に空気をポンプで吸い出すことによって試験の準備をする。この工程では、通気側圧力Ｐ１３はある減少率で低下し、時間と共に漸近曲線に移行し、絶対最小値に到達する。次に、排気された又は負圧下に置かれた通気側１３を閉じる。抽出側１２は、好ましくは周囲圧力、又は通気側１３又は周囲に対して過圧の状態にある。
【０１８７】
十分な真空又は十分な負圧をこのセグメント３３で生成することができない又は生成可能な負圧が閾値（図８によって示す例では破線で示される）に達しない場合に、大きい漏出が好ましくは検出される（図７の段階Ｄ８及びＤ９に関する説明も参照されたい）。この場合に、測定を中止して異常のある容器４を捨てることができる。
【０１８８】
第１のセグメント３３で十分な又は予め定められた真空又は予め定められた負圧に到達した場合に、任意的に、最初に第２のセグメント３４に対して待機期間が付加される。この待機期間中に、通気側圧力Ｐ１３は僅かに変化するに過ぎず、又はそれ自体で調節する。図示の例では、通気側圧力Ｐ１３は、例えば、システム１内の漏出に起因して僅かに増加する。
【０１８９】
次に、第３のセグメント３５では、図７の段階Ｄ１０に関連して説明した微細漏出の決定に対応して実際の測定が行われる。このセグメントで通気側圧力Ｐ１３が再び増加するのもいずれにせよシステム１内の漏出が原因である。この圧力増加の程度及び／又は割合は、システム１内の漏出に加えてバッグ２にも漏出がある場合により高くなる。漏出は、十分な拡散障壁を形成しない孔又は薄い点のいずれかを伴う可能性がある。
【０１９０】
図８の上のグラフは、ｙ軸を拡大したこの第３のセグメントを示し、ここでは、一点鎖線が閾値３６を表し、時間軸として機能するｘ軸がｙ軸と交差し、第３のセグメント３５の開始時での通気側圧力Ｐ１３での通気側圧力Ｐ１３を表している。これは説明のためのものであるが、微細漏出を決定するために第３のセグメントの開始時と終了時の間の圧力差を使用するので微細漏出を検出するための手法にも対応することができる。
【０１９１】
変形では、通気側圧力Ｐ１３に応じて第３のセグメント３５の開始時に閾値３６が設定され、その閾値３６は、第３のセグメント３５の開始時の通気側圧力Ｐ１３から、漏出によって生じる予想圧力増加＋許容値だけ上に設定される。従って、閾値３６は、絶対圧に基づいて変化し、又は測定又は第３のセグメント３５の初めと終わりの間の通気側圧力Ｐ１３の差に基づく特に固定された、予め定められた又は事前定義可能な閾値３６とすることができる。
【０１９２】
測定又は第３のセグメント３５の終わりに又は予め定められた待機期間の後に、通気側圧力Ｐ１３の増加を圧力差として識別し、好ましくは閾値３６と比較することができる。
【０１９３】
これに代えて又はこれに加えて、閾値３６は絶対通気側圧力Ｐ１３として予め定めることも可能である。この場合に、閾値３６は、到達する最小負圧から漏出によって生じる予想圧力増加＋許容値だけ上に設定することが好ましい。例えば、第１のセグメント３３において、例えば、６０ｋＰａのような少なくともターゲット値の負圧に到達することを意図する場合に、閾値３６は、例えば、このターゲット値の上４０〜３００Ｐａのようなこのターゲット値を超える負圧に設定することができる。
【０１９４】
通気側圧力Ｐ１３の圧力差が閾値を超えた場合に、微細漏出が検出されたと見なされる。その場合に、容器４を除く又は捨てることが好ましい。しかし、漏出がシステム１の典型的な漏出（上のグラフに実線に示す）に相関するほどに少ない場合又は閾値３６に到達しなかった又はそれを超えなかった場合に、気密性試験は合格したと見なされる。
【０１９５】
その次の第４のセグメント３７では、通気側１３を好ましくは再び通気して（通常の圧力にもたらされた）本方法は完了する。この工程では、通気側１３を周囲に接続することができ、図８に例示的に示すように、周囲圧力レベルへの漸近的な圧力低下をもたらす。
【０１９６】
第３のセグメント３５の長さは、好ましくは０．５秒よりも長い、特に１秒よりも長い、及び／又は５秒未満、好ましくは４秒又は３秒未満である。その結果、試験を迅速に同時に実行しながら十分なレベルの精度を達成することができる。
【０１９７】
閾値３６は、全体システム又はシステム１の気密性に依存することが好ましい。例えば、閾値は、測定の開始時又はセグメント３５の開始時での通気側圧力Ｐ１３よりも約１０Ｐａ又は１００Ｐａだけ、好ましくは６０Ｐａ又は８０Ｐａを超えるだけ、及び／又は２００Ｐａ未満だけ、好ましくは１５０Ｐａ又は１２０Ｐａ未満だけ上とすることができる。
【０１９８】
提案する方法は、異なる方式で完全に又は部分的に組み合わせることができる。特に容器４を交換するか又は変えることなく、同じチャンバ１４を使用して及び／又は連続的に直ちに次から次へとバッグ材料５を隔離する及び／又は剥離の程度を決定する及び／又は気密性を試験することが特に好ましい。この工程では、上述の段階の一部を省略することができる。例えば、剥離方法は、どの場合も段階Ａ８〜Ａ１１の範囲内で実行される。これに代えて又はこれに加えて、剥離の程度を決定する方法は段階Ｖ８〜Ｖ１０の範囲内で実行される。これに代えて又はこれに加えて、気密性試験の方法は、どの場合も段階Ｄ１０、好ましくは段階Ｄ８〜Ｄ１０の範囲内で実行される。
【０１９９】
提案するシステム１は、本発明による方法のうちの１又は２以上を実行するように設計されることが好ましい。この場合に、システム１は、１又は２以上のチャンバ１４を含むことができる。従って、これらの方法は、好ましくは連続して同じチャンバ１４で、又は２又は３以上のチャンバ１４で実行することができる。異なる方法に対して異なるチャンバ１４を設ける場合に、各容器４を第１のチャンバ１４から次のチャンバ１４に移し、別の提案する方法を実施することが好ましい。
【０２００】
例えば、図４に示す例によるシステム１は、抽出側圧力デバイス２３又は通気側圧力デバイス２４を使用して変化する、特に交替する差圧２５を生成することによって圧潰性のバッグ２を形成する方法を実施するのに適切である。これに代えて又はこれに加えて、システム１はまた、圧力貯留容積３０を使用して剥離の程度又は圧潰性又は対応するパラメータを決定する方法を実施するように設計される。これに代えて又はこれに加えて、図４によるシステム１はまた、提案する方法を使用してバッグの気密性を決定するのに適切である。従ってシステム１は、同じチャンバ１４を使用して、提案する方法のうちの１又は２以上を異なる組合せで実行することができる。好ましくは、システム１はまた、制御技術によってそうするように構成される。
【０２０１】
これに代えて又はこれに加えて、提案するシステム１は複数のステーションを含むことができ、各々がチャンバ１４を含み、提案する方法の１又は２以上を実行するように設計される。このようにして、同じシステム１を使用して、提案する方法に対して同時に複数の容器４を供給することができる。このように方法を同時化することにより、全体の処理機能を改善することができる。
【０２０２】
バッグ２を形成するか又はバッグ２の圧潰性機能を保証する方法を最初に実行し、その後に剥離の程度を決定する方法が続くことも好ましい。更に、気密性を決定する方法は、バッグ２を形成した後に及び／又は剥離の程度を決定した後に実行することが好ましい。
【０２０３】
任意的に、３つの上述の方法段階（バッグの剥離、剥離の程度の決定、気密性試験）の各々において、他の方法段階の状況に関わらず、容器４の通気開口部１１は、特にチャンバ１４への挿入を使用して、特にチャンバ１４内のその位置での半径方向加圧により、好ましくは可逆的に広げることができ、チャンバ１４内にある時に、容器が初期又は静止位置と比べて広がった通気開口部１１又は拡大した（流体力学的）直径又は拡大した開口断面積を有する通気開口部１１を有するようにする。その結果、本方法の速度及び精度を改善することができる。
【０２０４】
これは、好ましくは通気開口部１１の領域で壁７を変形することによって可能になり、通気開口部１１を含む容器４の底部分をひっくり返すことにより、スロット状の通気開口部１１が可逆的に押し潰される又は広がって開くようにする。これは、チャンバ１４により、又はチャンバ１４内の容器マウントにより、又は別の方法で行うことができる。特に好ましくは、通気開口部１１は、チャンバ１４の段差、肩部、又は特に円錐形先細状領域によって広げられる。この種の領域では、チャンバ１４の内径は、その初期状態にある時に容器４の壁７の外径よりも小さいことが好ましく、それによって半径方向の圧力印加及び従って通気開口部１１の広がり開放を誘導する。通気開口部１１のレベルでのチャンバ１４の内径は、チャンバ１４の長手軸と少なくとも実質的に軸対称であることが好ましい。その結果、通気開口部１１は、容器４及び／又はチャンバ１４の長手軸に関してチャンバ１４に対する容器４の回転の向きに関わらず広がって開くことができる。
【０２０５】
独立に実施することもできる別の態様では、本発明はまた、特にプロセッサ、コンピュータ、又はコントローラなどで実行された時に本発明による方法を実施するように設計されたプログラムコード手段を含むコンピュータプログラム製品又はコンピュータ可読ストレージ媒体に関連する。この目的のために、システム１及び／又はシステム１の構成要素は、そのコンピュータプログラム製品を含有する又は実行することができるコントローラ（図示せず）を有することができ、その結果としてシステム１を上述のように作動させることができる。特に、バルブ２０、２１、３１及び／又は圧力デバイス２３、２４が、相応に起動される。
【０２０６】
独立に実施することもできる本発明の別の態様は、上述の方法の１又は２以上の態様を実行するために、特にバッグ２を生成するか又は壁７の内面からバッグ材料５を剥ぎ取るために、及び／又はシステム１を使用して剥離の程度を試験するか又はバッグ２が圧潰した時に利用可能な総容積を試験するために、及び／又は抽出側１２が密封されていることに関して特に気密方式で通気側１３に対してバッグ２又はバッグ材料５の気密性を試験するために又はその逆のためのシステム１の使用に関連する。
【０２０７】
別の態様では、本発明は、容器４の設計又は生成、又はこの態様によって設計又は生成された容器４のバッグ２の生成及び試験に関連する。
【０２０８】
容器２は抽出開口部９を含み、その抽出開口部９は、好ましくは流体の容器内容物を充填する、及び容器内容物をバッグ２によって封入された内部空間３から抽出することを可能にする。
【０２０９】
容器４は、バッグ２が内部に配置されるか又は形成された少なくとも実質的に寸法的に安定した又は剛性の外側容器８を含むことが好ましい。外側容器８は、力が外側容器８に印加された時に外側容器８のある一定のレベルの又は可逆的な変形を許容するのに十分に弾力的であることが好ましい。これは、外側容器８が、例えば、ポリエチレン又はポリプロピレンのようなプラスチック材料から、特にバッグ材料５と比べて厚い壁を有するプラスチック材料から構成されることによって達成することができる。外側容器８は、ある一定の程度まで可逆的に変形可能であるように十分な弾力性を有することが好ましいが、それと同時に、例えばＰＥＴ飲料ボトルなどのようにその変形を少なくとも実質的に元の状態に自動的に戻すためにその形状安定性を恒久的に保持する。バッグ２は外側容器８内に配置され、かつバッグ２が抽出開口部９を通して容器内容物を受け入れるのでその後の容器内容物と接触する。
【０２１０】
内部バッグ２及び外側容器８は、互いに合体しない異なる熱可塑性プラスチックで形成されることが好ましい。
【０２１１】
外側容器８に配置された通気開口部１１を使用して、バッグ２を形成するバッグ材料５は、外側容器８とバッグ２の間に行き渡る圧力差を好ましくはバッグ２を圧潰させながら圧力を均等化することによって均等化することができる。
【０２１２】
容器４を生成するために、第１に、共押出しブロー工程におけるブロー成型の２つの開いた半体の間に、容器を生成するのに適する長さを有する２つの同軸チューブから構成されるプレフォームを生成することが好ましい。ブロー成型半体を閉じて（それによってブロー成型品を形成する）、そうする際に、外方に突出する底部シームを形成しながら生成されている容器４の底部領域内に過剰な材料が絞り出される。これは、シーム領域において接触する外側容器８の材料を互いに溶接し、バッグ２を形成するチューブを締結し、定位置に軸線方向に固定し、かつ外側容器８の壁部分間を溶接するようにして行われ、プレフォームの壁をブロー成型品の外形に内側から接合するようにバッグ２に圧力を印加する。
【０２１３】
ブロー成型品を閉じて底部シームの関連の形成が行われる時に、バッグ２のシームは、少なくとも部分的に外側容器８のシームの定位置に軸線方向に固定することが好ましい。特に好ましくは、少なくとも１つの通気開口部１１は、底部シームを少なくとも部分的に切り取るが、好ましくは完全には切り取らないことによって形成され、成形の後でバッグ２のシームの少なくとも一部が外側容器８のシームの定位置に固定されたままであるようにする。
【０２１４】
次に、シーム方向に作用する半径方向力を容器４又は外側容器８の底部領域に導入し、好ましくは外側容器８の底部シームが破れ、及び従って細長い特にスロット状通気開口部１１が形成されるようにし、それにより、圧力均等化のためにバッグ２又はバッグ材料５と外側容器８との間に周囲空気が流れ込むことができる。
【０２１５】
プレフォームの温度は底部シームを切り取る時に４０〜７０℃であることが好ましく、及び／又は外側容器８は依然としてある一定の程度まで可塑変形可能であり、その力によって生じた変形が少なくとも部分的に恒久的な変形であり、弾性復元によって完全には元に戻らないようにする。
【０２１６】
バッグ２と外側容器８の両方の壁は異なる熱可塑性プラスチックから構成され、一般的に溶接されない。過剰な材料を押し出す時にブロー成型品によって導入される力の作用の下で、一方でバッグ２の壁及び他方で外側容器８の壁７が溶接される。更に、バッグ２及び外側容器８の壁間の接着が底部シームの一部の領域に生じる。これは、バッグ２を底部領域の定位置に固定する観点から、本方法の重要な利点である。
【０２１７】
この場合の接着は、外側容器８の底部シームが破れた時に２つのシーム側の一方はバッグ２のシームに繋がったままであるが、外側容器８の他方のシーム側はバッグ２のシームに固定されないままであるようなものである。従って、破損にも関わらず、外側容器８のシームが長さ全体にわたって破られる実施形態でも、バッグ２の軸線方向固定が保証される。更に、それにより、その後のストリップ状部分又は残留ストリップ幅３２の形成が可能になる。
【０２１８】
バッグ２を定位置に固定することは、カニューレ又は浸漬チューブが容器４に挿入される用途では特に重要であり、その場合に、バッグ２の底部領域からの剥離は、カニューレが損傷するか又は閉塞される結果に至る。底部シームは部分的に切り取られるに過ぎないので、切断工程が実行された後でもそのバッグ２上に残る溶接シームによって剛的に閉じられるために、バッグ２は損傷しないはずである。通気開口部１１の形成は、切断工程によって直接生成するのではなく、むしろ力の導入とシームの破断とによって生成することが好ましい。これはまた、スロット状通気開口部１１を形成することができ、この開口部は、バッグ材料５を剥ぎ取るために又は試験のために好ましくは半径方向力を印加することによってその後に広がって開くことができる。
【０２１９】
この実施形態では、外側容器８及びバッグ２から構成される容器４はボトル形状である。ネック領域１０では、この容器はボトルネック又はネック領域１０の端部に配置された突出部を含み、そこには抽出開口部９が位置する。容器１の底部領域４では、底部シームが容器中心軸の延長線上に配置され、外側容器８の壁７に通気開口部１１を形成する。図示の例では、突出部は外側容器８の材料だけから成形される。
【０２２０】
通気開口部９に向けて指向するその端面上に、ネック領域１０は、特に矩形の突出部を含むことが好ましい。この突出部は、それによって外側容器８の材料とバッグ２の材料の両方から成形される独特の特徴を有するので、バッグ２はボトルネック６の領域で定位置に固定される。
【０２２１】
図９は、通気開口部１１のレベルでの容器４の底部領域を通した断面である。バッグ２の壁から中心に形成されて外側容器８の壁によって両側が定められた底部シームのデザインを明瞭に見ることができる。同じく示されているのは半径方向力Ｆであり、これは、好ましくは少なくともシーム方向に又は通気開口部１１の長手方向延長線の方向に作用し、及び好ましくは底部領域内に又は外側容器８の壁７の底部に導入され、特に外側容器８及び／又は通気開口部１１を形成する壁７の部分を一時的に及び／又は可逆的に変形することにより、通気開口部１１の流体力学的直径又は開口断面積を広げるようにする。この実施形態では、任意的に導入される軸線方向力は、示されない又は提供されない。
【０２２２】
本明細書での当該の特定の実施形態では、バッグ２は、外側容器８と底部シーム５の片側での底部シーム１１の端部とに付着したままであり、従って軸線方向に定位置に固定される。同じく、バッグ材料５が外側容器８の内面に沿ってストリップ状に付着したままに留まることも好ましい。これら２つのファクタは、例えば、浸漬チューブのような容器内容物に対する抽出デバイスの目詰まりを特に相乗的に防止する。ネック領域１０の反対側には通気開口部１１が形成され、それは外側容器８及びバッグ２によって定められるので、バッグ２と外側容器８の間に行き渡る圧力差を均等化することができる。
【０２２３】
容器４は、医薬品分野に使用するように設計されることが好ましい。特に、容器４は、殺菌することができる。容器４は、特に液体製剤を特に好ましくは抽出側１３に保持するか又は収容するように設計されることが好ましい。製剤は、好ましくは活性成分を含有する又は薬学的に活性な物質を含む。これは酸性溶液とすることができる。製剤は、塩化ベンザルコニウムのような安定剤を含むことができる。しかし、容器４はまた、他の目的に使用する又は役立たせることができる。
【０２２４】
本発明の他の態様は、以下の通りである。
【０２２５】
１．容器４が、抽出開口部９と通気開口部１１を含み、容器４の内部空間が、抽出開口部９に関連付けられた抽出側１２及び通気開口部１１に関連付けられた通気側１３を含み、抽出側１２及び通気側１３が、バッグ材料５によって互いに分離され、バッグ材料５が、初期状態にある時に容器４の壁７の内面６に付着しているバッグ材料５を、容器４の壁７の内面６から剥ぎ取ることによって容器４の内部空間に圧潰性のバッグ２を形成する方法であって、差圧２５を通気側１３と抽出側１２の間に生成し、壁７に付着したバッグ材料５が剥がれるように変化させ、それによってバッグ２を形成することを特徴とする。
【０２２６】
２．壁７に付着したバッグ材料５が段階的に剥がれるように差圧２５を交替的に変化させることを特徴とする態様１に記載の方法。
【０２２７】
３．差圧２５を循環的に変化させ、各サイクル２８は好ましくは少なくとも２つのフェーズを有し、１つのフェーズでは、通気側１３の圧力Ｐ１３は抽出側１２の圧力Ｐ１２よりも高く、及び／又は差圧２５が容器の壁７からバッグ２を剥がし、別のフェーズでは、通気側１３の圧力Ｐ１３は抽出側１２の圧力Ｐ１２よりも低く、及び／又は差圧２５がバッグ２を壁７に押圧すること、及び差圧２５が交替することを特徴とする態様１又は態様２のいずれかに記載の方法。
【０２２８】
４．サイクル２８の各々は、０．５秒よりも長い、好ましくは０．７秒よりも長い、特に１秒よりも長い、及び／又は３秒未満、好ましくは２秒未満、特に１．５秒未満の周期長２９を有することを特徴とする態様３に記載の方法。
【０２２９】
５．特に最大の差圧２５は、１００ｋＰａよりも高い、好ましくは１５０ｋＰａよりも高い、及び／又は４００ｋＰａ未満、好ましくは２５０ｋＰａ未満であることを特徴とする先行態様のいずれかに記載の方法。
【０２３０】
６．バッグ２を生成するために容器４の壁７を形成する壁材料とバッグ材料５とを直接互いに当接させながら容器４の形状にまず加工し、バッグ材料５は容器４の壁７の内面６に対して特に接着的に付着し、バッグ２はその後に容器４の壁７からバッグ材料５を剥ぎ取ることによって形成されることを特徴とする先行態様のいずれかに記載の方法。
【０２３１】
７．特に先行態様のいずれかに記載の方法による、容器４が、抽出開口部９と通気開口部１１を含み、容器４の内部空間が、バッグ２によって互いから分離された抽出開口部９に関連付けられた抽出側１２及び通気開口部１１に関連付けられた通気側１３を含み、バッグ２が容器４の壁７の内面６から剥ぎ取られた程度、バッグ２が圧潰可能な容積、及び／又は対応するパラメータを決定する方法であって、圧力貯留容積３０をターゲット圧力にもたらし、次に通気側１３に接続して圧力貯留容積３０と通気側１３の間の圧力が均等化されるようにし、圧力均等化の後に生じる圧力をパラメータとして又は剥離の程度又は容積のいずれかを決定するために測定することを特徴とする方法。
【０２３２】
８．圧力貯留容積３０を好ましくはガス、特に空気で充填することによって過圧にもたらし、過圧が好ましくは周囲圧力を特に少なくとも１００ｋＰａだけ超えること、及び／又は圧力貯留容積３０が容積４又はバッグ２の容積の１／２超及び／又は４倍未満に対応することと、及び／又は通気側１３と圧力貯留容積３０の間のバルブ２１を閉じる時に圧力貯留容積３０が過圧になること、次にバルブ２１を開くことによって圧力貯留容積３０が通気側１３に接続され、抽出側１２が好ましくは通気されるか又は排気されることとを特徴とする態様７に記載の方法。
【０２３３】
９．容器４が、抽出開口部９と通気開口部１１を含み、容器４の内部空間が、バッグ２によって互いから分離された抽出開口部９に関連付けられた抽出側１２及び通気開口部１１に関連付けられた通気側１３を含む特に先行態様のいずれかにより、容器４に設けられたバッグ２の気密性を試験する方法であって、バッグ２が容器４の壁７に接合するように通気側１３と比べて抽出側１２に過圧を印加すること、及び通気側１３と共に又はそれを使用して閉じた試験容積を生成し、試験持続時間の後に又はそれに応じて圧力又は圧力差を識別し、容器４に設けられたバッグ２の気密度に対するインジケータとして使用することを特徴とする。
【０２３４】
１０．内部バッグ２を含む容器４を生成するための及び／又は内部バッグ２を含む容器４を試験する方法であって、容器４は、非円形の好ましくは細長い特にスロット状の通気開口部１１を有すること、及び容器４をシステム１に挿入する結果として又は挿入中に又はその後に半径方向圧力が容器４に印加されて通気開口部１１に作用することで通気開口部１１の、特に流体力学的な、直径又は開口断面積が一時的に拡大されることを特徴とする。
【０２３５】
１１．システムが、容器４をその中に挿入することができる又は挿入されるチャンバ１４を有し、容器４が、抽出開口部９と通気開口部１１を含み、容器４の内部空間が、バッグ材料５によって互いから分離された、抽出開口部９に関連付けられた抽出側１２及び通気開口部１１に関連付けられた通気側１３を含み、チャンバ１４が、抽出側１２と通気側１３とを互いから別々に緊密に固定する好ましくは先行態様のいずれかに記載の方法を実施するように設計されたシステム１であって、システム１は、抽出側１２と通気側１３の間に好ましくは交替する差圧２５を生成し、容器４の内壁７から好ましくは段階的にバッグ材料５を剥ぎ取るように設計されること、及び／又はシステム１は、圧力貯留容器３０を含み、その圧力貯留容積３０を通気側１３の圧力とは異なる圧力にするように設計され、システム１は、チャンバ１４を使用して圧力貯留容積３０を通気側１３に接続するバルブ２１を有すること、及びシステム１は、接続が確立された時に圧力変化を識別するための圧力センサ２２を有すること、及び／又はシステム１は、抽出側１２と通気側１３の間の差圧２５を使用して容器４に設けられたバッグ２の気密性を試験するように設計され、システム１は、圧力センサ２２と、その圧力センサ２２に接続されて通気側１３の圧力変化を測定するように及びその変化を閾値３６と比較するように設計された分析デバイスとを有すること、及び／又はシステム１は、容器４のための又はそれと共にチャンバ１４を含み、チャンバ１４は、特に先細の直径を使用して、容器４をチャンバ１４に挿入する結果として又は挿入中に又はその後に容器４の壁７に半径方向圧力を生じるように設計されるので、特に通気開口部１１の流体力学的直径又は開口断面積を拡大することができることを特徴とする。
【０２３６】
１２．システム１は、１又は２以上の容器４を含み、容器４の壁７の外面が好ましくはチャンバ１４の内壁に対応し、システム１は、抽出側１２と通気側１３がバッグ２によって互いに分離されるようにチャンバ１４に受け入れた容器４を緊密に固定するように設計されること、及び／又はシステム１は、容器４をチャンバ１４内に次々に導入するように設計され、剥離が生じる及び／又は剥離の程度が試験される及び／又は気密性が試験された状態で、予め定められた剥離の程度又は予め定められた気密性に達しない容器４を取り除くように設計されることを特徴とする態様１１に記載のシステム。
【０２３７】
１３．特に態様１から６のいずれかに記載の方法を使用して生成された内部バッグ２を含む容器４であって、バッグ２は、容器ベースと抽出開口部９の間の延長方向の一部分内で容器４の壁７の内面６に付着することを特徴とする。
【０２３８】
１４．プログラムコード手段を含み、特に態様１０から１３のいずれかに記載のシステム１を作動させるためのコンピュータプログラム製品であって、実行された時に、プログラムコード手段は、態様１から９のいずれかに記載の方法を好ましくは態様１０から１３のいずれかに記載のシステム１を使用して実施することを特徴とする。
【０２３９】
１５．容器４内にバッグ２を生成するための及び／又は態様１から９のいずれかに記載の内部バッグ２を含む容器４を試験するための態様１０から１３のいずれかに記載のシステム１の使用。
【０２４０】
本発明の態様又はその各部分は、各組合せが個別に説明されなかったとしてもあらゆる方法で互いに組み合わせることができる。
【０２４１】
参照符号のリスト
１  システム
２  バッグ
３  内部空間
４  容器
５  バッグ材料
６  内面
７  壁
８  外側容器
９  抽出開口部
１０  ネック領域
１１  通気開口部
１２  抽出側
１３  通気側
１４  チャンバ
１５  抽出開口部コネクタ
１６  通気開口部コネクタ
１７  接続経路
１８  シール
１９  スパイク
２０  抽出側バルブ
２１  通気側バルブ
２２  圧力センサ
２３  抽出側の圧力デバイス
２４  通気側の圧力デバイス
２５  差圧
２６  抽出側圧力曲線
２６Ｐ  吹出し圧力衝撃
２７  通気側圧力曲線
２８  サイクル
２９  周期長
３０  圧力貯留容積
３１  充填バルブ
３２  残留ストリップ幅
３３  第１のセグメント
３４  第２のセグメント
３５  第３のセグメント
３６  閾値
３７  第４のセグメント
Ａ１  方法の開始
Ａ２  チャンバの閉鎖
Ａ３  挿入試験
Ａ４  剥離サイクルの開始
Ａ５  大きい漏出の検出／分析
Ａ６  大きい漏出試験
Ａ７  剥離工程の中止
Ａ８  剥離サイクルの始まり
Ａ９  過圧の印加
Ａ１０  通気フェーズ
Ａ１１  回数検査
Ａ１２  容器材料の結合
Ａ１３  チャンバ通気
Ａ１４  剥離工程の終了
Ｄ１  方法の開始
Ｄ２  チャンバ閉鎖
Ｄ３  挿入試験
Ｄ４  大きい漏出試験
Ｄ５  大きい漏出による中止
Ｄ６  剥離の程度試験
Ｄ７  気密性試験の開始
Ｄ８  待機期間
Ｄ９  大きい漏出の特定
Ｄ１０  微細漏出の分析
Ｄ１１  容器の放出
Ｄ１２  方法の終了
Ｆ  力
Ｐ１２  抽出側圧力
Ｐ１３  通気側圧力
Ｖ１  方法の開始
Ｖ２  チャンバ閉鎖
Ｖ３  挿入試験
Ｖ４  大きい漏出検査
Ｖ５  試験中止
Ｖ６  容積決定
Ｖ７  予備的な大きい漏出試験
Ｖ８  容積の準備
Ｖ９  分離
Ｖ１０  剥離の程度の決定
Ｖ１１  チャンバ通気
Ｖ１２  方法の終了
【符号の説明】
【０２４２】
１  バッグの圧潰性の機能を保証するためのシステム
２  バッグ
３  内部空間
４  容器
１２  抽出側
【図１】
2019531983.tif 000003
【図２】
2019531983.tif 000004
【図３】
2019531983.tif 000005
【図４】
2019531983.tif 000006
【図５】
2019531983.tif 000007
【図６】
2019531983.tif 000008
【図７】
2019531983.tif 000009
【図８】
2019531983.tif 000010
【図９】
2019531983.tif 000011
【国際調査報告】
2019531983.tif 000012
2019531983.tif 000013
2019531983.tif 000014
2019531983.tif 000015
2019531983.tif 000016
2019531983.tif 000017
2019531983.tif 000018
2019531983.tif 000019
2019531983.tif 000020
2019531983.tif 000021
2019531983.tif 000022
2019531983.tif 000023
2019531983.tif 000024
2019531983.tif 000025